(57)【要約】  本開示はメッセージ伝送方法、ユーザー装置、基地局及び記憶媒体を開示し、前記方法は、基地局側から送信された上りグラント情報又は再送指示情報を受信するステップと、前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、前記少なくとも１つの上りリソースにおいて上り共有チャネルの伝送を行うステップと、を含む。
2019522440.tif 000002
【特許請求の範囲】
【請求項１】
ユーザー装置に適用されるメッセージ伝送方法であって、
基地局側から送信された上りグラント情報又は再送指示情報を受信するステップと、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記少なくとも１つの上りリソースにおいて上り共有チャネルの伝送を行うステップと、を含むメッセージ伝送方法。
【請求項２】
前記特殊サブフレームは少なくとも上りパイロットタイムスロット及び下りパイロットタイムスロットを含み、前記下りパイロットタイムスロットは１３１６８個の時間領域サンプリングポイントを含み、前記上りパイロットタイムスロットがノーマルサイクリックプレフィックスを採用する時に１３１５２個の時間領域サンプリングポイントを含み、又は上りパイロットタイムスロットが拡張サイクリックプレフィックスを採用する時に１２８００個の時間領域サンプリングポイントを含む場合、前記２つの時間領域サンプリングポイント間の時間間隔が１／（１５０００＊２０４８）秒である請求項１に記載のメッセージ伝送方法。
【請求項３】
前記少なくとも１種のサブフレーム遅延に基づき少なくとも１つの上りリソースを決定することは、
決定した上りリソースが特殊サブフレームの上りパイロットタイムスロットである場合、上りパイロットタイムスロットに割り当てられる物理リソースブロック数を計算し、且つ前記物理リソースブロック数に対応する等価物理リソースブロック数を計算し、前記等価物理リソースブロック数は物理リソースブロック数と所定の係数との積であるステップと、
変調符号化インデックスに基づきデータブロックサイズインデックスを検索し、等価物理リソースブロック数とデータブロックサイズインデックスに基づき、上りデータブロックの数値を計算するステップと、をさらに含む請求項１に記載のメッセージ伝送方法。
【請求項４】
前記上りグラント情報又は再送指示情報を含んだ下りサブフレームの番号に基づき、対応する少なくとも１種のサブフレーム遅延を決定することは、
第１上り下りサブフレーム構成を採用する場合、下りサブフレームが第０号のサブフレーム、第１号のサブフレーム、第５号のサブフレーム、第６号のサブフレームのうちのいずれか１つである場合、対応するサブフレーム遅延を６と決定し、下りサブフレームが第４号のサブフレーム又は第９号のサブフレームである場合、対応するサブフレーム遅延を４と決定するステップと、
第２上り下りサブフレーム構成を採用する場合、下りサブフレームが第１号のサブフレーム又は第６号のサブフレームである場合、対応するサブフレーム遅延を５と決定し、下りサブフレームが第３号のサブフレーム又は第８号のサブフレームである場合、対応するサブフレーム遅延を４と決定するステップと、
第３上り下りサブフレーム構成を採用する場合、下りサブフレームが第０号のサブフレーム、第７号のサブフレーム、第８号のサブフレーム、第９号のサブフレームのうちのいずれか１つである場合、対応するサブフレーム遅延を４と決定するステップと、
第４上り下りサブフレーム構成を採用する場合、下りサブフレームが第７号のサブフレーム、第８号のサブフレーム、第９号のサブフレームのうちのいずれか１つである場合、対応するサブフレーム遅延を４と決定するステップと、
第５上り下りサブフレーム構成を採用する場合、下りサブフレームが第７号のサブフレーム又は第８号のサブフレームである場合、対応するサブフレーム遅延を４と決定するステップと、を含む請求項１に記載のメッセージ伝送方法。
【請求項５】
前記少なくとも１つの上りリソースにおいて上り共有チャネルの伝送を行った後、
第１上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応するサブフレーム遅延を６と決定するステップと、
第２上り下りサブフレーム構成を採用する場合、第１号のサブフレーム又は第６号のサブフレームにおいて上り共有チャネルの伝送を行う場合、対応する再送指示チャネルを受信するサブフレーム遅延を５と決定し、第２号のサブフレーム又は第７号のサブフレームにおいて上り共有チャネルの伝送を行う場合、対応するサブフレーム遅延を６と決定するステップと、
第３上り下りサブフレーム構成を採用する場合、第１号のサブフレーム、第２号のサブフレーム、第３号のサブフレーム、第４号のサブフレームのうちのいずれか１つにおいて上り共有チャネルの伝送を行う場合、対応する再送指示チャネルを受信するサブフレーム遅延を６と決定するステップと、
第４上り下りサブフレーム構成を採用する場合、第１号のサブフレーム、第２号のサブフレーム、第３号のサブフレームのうちのいずれか１つにおいて上り共有チャネルの伝送を行う場合、対応する再送指示チャネルを受信するサブフレーム遅延を６と決定するステップと、
第５上り下りサブフレーム構成を採用する場合、第１号のサブフレーム又は第２号のサブフレームにおいて上り共有チャネルの伝送を行う場合、対応する再送指示チャネルを受信するサブフレーム遅延を６と決定するステップと、をさらに含む請求項１に記載のメッセージ伝送方法。
【請求項６】
前記基地局側から送信された上りグラント情報を受信することは、
下り制御情報を解析し、前記下り制御情報から、前記ユーザー装置用の上りリソース選択ルールを指示するための上りリソース指示情報及び前記上りグラント情報を抽出して取得するステップを含む請求項１に記載のメッセージ伝送方法。
【請求項７】
前記上りグラント情報を含んだ下りサブフレームの番号に基づき、対応する少なくとも１種のサブフレーム遅延を決定し、前記少なくとも１種のサブフレーム遅延に基づき少なくとも１つの上りリソースを決定することは、
前記上りリソース指示情報に基づき、採用する上りリソース選択ルールを決定し、前記上りリソース選択ルールは少なくとも上りリソース指示情報に対応するサブフレーム、及び各々のサブフレームに対応する少なくとも１種のサブフレーム遅延を含むステップと、
前記上りグラント情報を含んだ下りサブフレームの番号、及び前記上りリソース選択ルール中の対応する少なくとも１種のサブフレーム遅延に基づき、少なくとも１つの上りリソースを決定するステップと、を含む請求項６に記載のメッセージ伝送方法。
【請求項８】
前記上りリソース指示情報に基づき、採用する上りリソース選択ルールを決定することは、
第０上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは下りサブフレームの番号が第０号のサブフレーム又は第５号のサブフレームである場合、対応するサブフレーム遅延を８とするステップと、
第０上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは下りサブフレームの番号が第０号のサブフレーム又は第５号のサブフレームである場合、対応するサブフレーム遅延を９とするステップと、
第０上り下りサブフレーム構成を採用する場合、上りリソース指示情報中の最上位ビットが１、最下位ビットが１である場合、上りリソース選択ルールは下りサブフレームの番号が第０号のサブフレーム又は第５号のサブフレームである場合、対応するサブフレーム遅延を８及び９とするステップと、
第０上り下りサブフレーム構成を採用する場合、上りリソース指示情報中の最上位ビットが１、最下位ビットが０であり、又は、第１号のサブフレーム又は第６号のサブフレームにおいて再送指示チャネルを受信し、且つ再送指示が０である場合、上りリソース選択ルールは下りサブフレームの番号が第１号のサブフレーム又は第６号のサブフレームである場合、対応するサブフレーム遅延を１０とするステップと、
第０上り下りサブフレーム構成を採用する場合、上りリソース指示情報中の最上位ビットが０、最下位ビットが１であり、又は、第１号のサブフレーム又は第６号のサブフレームにおいて再送指示チャネルを受信し、且つ再送指示が１である場合、上りリソース選択ルールは下りサブフレームの番号が第１号のサブフレーム又は第６号のサブフレームである場合、対応するサブフレーム遅延を１１とするステップと、
第０上り下りサブフレーム構成を採用する場合、上りリソース指示情報中の最上位ビットが１、且つ最下位ビットが１である場合、上りリソース選択ルールは下りサブフレームの番号が第１号のサブフレーム又は第６号のサブフレームである場合、対応するサブフレーム遅延を１０及び１１とするステップと、を含む請求項７に記載のメッセージ伝送方法。
【請求項９】
第４号のサブフレーム又は第２号のサブフレーム又は第７号のサブフレーム又は第９号のサブフレーム中の上りリソースにおいて上り共有チャネルの伝送を行うと決定する場合、再送指示を１に設定し、そうでない場合、再送指示を０に設定するステップをさらに含む請求項８に記載の方法。
【請求項１０】
前記上りリソース指示情報に基づき、採用する上りリソース選択ルールを決定することは、
第０上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは下りサブフレームの番号が第０号のサブフレーム又は第５号のサブフレームである場合、対応するサブフレーム遅延を４とするステップと、
第０上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは下りサブフレームの番号が第０号のサブフレーム又は第５号のサブフレームである場合、対応するサブフレーム遅延を６とするステップと、
第０上り下りサブフレーム構成を採用する場合、上りリソース指示情報中の最上位ビットが１、最下位ビットが１である場合、上りリソース選択ルールは下りサブフレームの番号が第０号のサブフレーム又は第５号のサブフレームである場合、対応するサブフレーム遅延を４及び６とするステップと、
第０上り下りサブフレーム構成を採用する場合、上りリソース指示情報中の最上位ビットが１、最下位ビットが０であり、又は、第１号のサブフレーム又は第６号のサブフレームにおいて再送指示チャネルを受信し、且つ再送指示が０である場合、上りリソース選択ルールは下りサブフレームの番号が第１号のサブフレーム又は第６号のサブフレームである場合、対応するサブフレーム遅延を６とするステップと、
第０上り下りサブフレーム構成を採用する場合、上りリソース指示情報中の最上位ビットが０、最下位ビットが１であり、又は、第１号のサブフレーム又は第６号のサブフレームにおいて再送指示チャネルを受信し、且つ再送指示が１である場合、上りリソース選択ルールは下りサブフレームの番号が第１号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは下りサブフレームの番号が第１号のサブフレーム又は第６号のサブフレームである場合、対応するサブフレーム遅延を６及び７とするステップと、を含む請求項７に記載のメッセージ伝送方法。
【請求項１１】
第１号のサブフレーム又は第２号のサブフレーム又は第６号のサブフレーム又は第７号のサブフレーム中の上りリソースにおいて上り共有チャネルの伝送を行うと決定する場合、再送指示を１に設定し、そうでない場合、再送指示を０に設定するステップをさらに含む請求項１０に記載のメッセージ伝送方法。
【請求項１２】
前記上りリソース指示情報に基づき、採用する上りリソース選択ルールを決定することは、
第０上り下りサブフレーム構成を採用する場合、上りリソース指示情報中の最上位ビットが１、最下位ビットが０である場合、上りリソース選択ルールは、下りサブフレームが第０号のサブフレームである場合、対応するサブフレーム遅延を４とし、下りサブフレームが第１号のサブフレームである場合、対応するサブフレーム遅延を５及び６とし、下りサブフレームが第５号のサブフレームである場合、対応するサブフレーム遅延を４とし、下りサブフレームが第６号のサブフレームである場合、対応するサブフレーム遅延を５及び６とするステップと、
第０上り下りサブフレーム構成を採用する場合、上りリソース指示情報中の最上位ビットが０、最下位ビットが１である場合、上りリソース選択ルールは、下りサブフレームが第０号のサブフレームである場合、対応するサブフレーム遅延を６及び７とし、下りサブフレームが第１号のサブフレームである場合、対応するサブフレーム遅延を７とし、下りサブフレームが第５号のサブフレームである場合、対応するサブフレーム遅延を６及び７とし、下りサブフレームが第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレームである場合、対応するサブフレーム遅延を４、６及び７とし、下りサブフレームが第１号のサブフレームである場合、対応するサブフレーム遅延を５、６及び７とし、下りサブフレームが第５号のサブフレームである場合、対応するサブフレーム遅延を４、６及び７とし、下りサブフレームが第６号のサブフレームである場合、対応するサブフレーム遅延を５、６及び７とするステップと、を含む請求項７に記載のメッセージ伝送方法。
【請求項１３】
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む請求項７に記載のメッセージ伝送方法。
【請求項１４】
前記上りリソース指示情報に基づき、採用する上りリソース選択ルールを決定することは、
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を６とするステップと、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を６及び７とするステップと、
第０上り下りサブフレーム構成を採用する場合、上りリソース指示情報の最上位ビットが０、最下位ビットが０である場合、上りリソース選択ルールは、下りサブフレームが第０号のサブフレーム又は第５号のサブフレームである場合、対応するサブフレーム遅延を４、６及び７とし、又は、対応するサブフレーム遅延を６及び７とし、又は対応するサブフレーム遅延を６とし、下りサブフレームが第１号のサブフレーム又は第６号のサブフレームである場合、対応するサブフレーム遅延を５、６及び７とし、又は、対応するサブフレーム遅延を６及び５とし、又は対応するサブフレーム遅延を５とするステップと、を含む請求項７に記載のメッセージ伝送方法。
【請求項１５】
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む請求項７に記載のメッセージ伝送方法。
【請求項１６】
前記上りリソース指示情報に基づき、採用する上りリソース選択ルールを決定することは、
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を５とするステップと、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を５及び７とするステップと、を含む請求項７に記載のメッセージ伝送方法。
【請求項１７】
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を５と決定し、再送指示が１である場合、第１号のサブフレーム又は第６号のサブフレームに対応するサブフレーム遅延を７と決定するステップと、をさらに含む請求項７に記載のメッセージ伝送方法。
【請求項１８】
第２号のサブフレーム又は第４号のサブフレーム又は第７号のサブフレーム又は第９号のサブフレーム中の上りリソースにおいて上り共有チャネルの伝送を行うと決定する場合、再送指示を１に設定し、そうでない場合、再送指示を０に設定するステップをさらに含む請求項１７に記載のメッセージ伝送方法。
【請求項１９】
前記上りリソース指示情報に基づき、採用する上りリソース選択ルールを決定することは、
第６上り下りサブフレーム構成を採用する場合、上りリソース指示情報中の最上位ビットが１、最下位ビットが０であり、又は、第５号のサブフレームにおいて再送指示チャネルを受信し、且つ再送指示が０である場合、上りリソース選択ルールは、下りサブフレームの番号が第５号のサブフレームである場合、対応するサブフレーム遅延を１３とするステップと、
第６上り下りサブフレーム構成を採用する場合、上りリソース指示情報中の最上位ビットが０、最下位ビットが１であり、又は、第５号のサブフレームにおいて再送指示チャネルを受信し、且つ再送指示が１である場合、上りリソース選択ルールは、下りサブフレームの番号が第５号のサブフレームである場合、対応するサブフレーム遅延を１６とするステップと、
第６上り下りサブフレーム構成を採用する場合、上りリソース指示情報の最上位ビットが１、最下位ビットが１である場合、上りリソース選択ルールは、下りサブフレームの番号が第５号のサブフレームである場合、対応するサブフレーム遅延を１６及び１３とするステップと、を含む請求項７に記載のメッセージ伝送方法。
【請求項２０】
前記上りリソース指示情報に基づき、採用する上りリソース選択ルールを決定することは、
第６上り下りサブフレーム構成を採用する場合、上りリソース指示情報中の最上位ビットが１、最下位ビットが０であり、又は、第９号のサブフレームにおいて再送指示チャネルを受信し、且つ再送指示が０である場合、上りリソース選択ルールは、下りサブフレームの番号が第９号のサブフレームである場合、対応するサブフレーム遅延を１４とするステップと、
第６上り下りサブフレーム構成を採用する場合、上りリソース指示情報中の最上位ビットが０、最下位ビットが１であり、又は、第９号のサブフレームにおいて再送指示チャネルを受信し、且つ再送指示が１である場合、上りリソース選択ルールは、下りサブフレームの番号が第９号のサブフレームである場合、対応するサブフレーム遅延を１６とするステップと、
第６上り下りサブフレーム構成を採用する場合、上りリソース指示情報の最上位ビットが１、最下位ビットが１である場合、上りリソース選択ルールは、下りサブフレームの番号が第９号のサブフレームである場合、対応するサブフレーム遅延を１６及び１４とするステップと、を含む請求項７に記載のメッセージ伝送方法。
【請求項２１】
第４号のサブフレーム又は第１号のサブフレーム中の上りリソースにおいて上り共有チャネルの伝送を行うと決定する場合、再送指示を１に設定し、そうでない場合、再送指示を０に設定するステップをさらに含む請求項１７又は１８に記載のメッセージ伝送方法。
【請求項２２】
前記上りグラント情報を含んだ下りサブフレームの番号に基づき、対応する少なくとも１種のサブフレーム遅延を決定することは、
第６上り下りサブフレーム構成を採用する場合、前記下りサブフレームが第０号のサブフレーム、第１号のサブフレーム、第６号のサブフレームのうちのいずれかである場合、上りサブフレームに対応するサブフレーム遅延を１６と決定するステップを含む請求項１に記載のメッセージ伝送方法。
【請求項２３】
前記上りグラント情報を含んだ下りサブフレームの番号に基づき、対応する少なくとも１種のサブフレーム遅延を決定することは、
第６上り下りサブフレーム構成を採用する場合、下りサブフレームが第０号のサブフレーム又は第５号のサブフレームである場合、対応するサブフレーム遅延を６及び７とし、下りサブフレームが第１号のサブフレーム又は第６号のサブフレームである場合、対応するサブフレーム遅延を７とし、下りサブフレームが第９号のサブフレームである場合、対応するサブフレーム遅延を５と決定するステップを含む請求項１に記載のメッセージ伝送方法。
【請求項２４】
前記上りリソース指示情報に基づき、採用する上りリソース選択ルールを決定することは、
第６上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは、下りサブフレームの番号が第０号のサブフレーム又は第５号のサブフレームである場合、対応するサブフレーム遅延を７とするステップと、
第６上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは、下りサブフレームの番号が第０号のサブフレーム又は第５号のサブフレームである場合、対応するサブフレーム遅延を６とするステップと、
第６上り下りサブフレーム構成を採用する場合、上りリソース指示情報の最上位ビットが１、最下位ビットが１である場合、上りリソース選択ルールは、下りサブフレームの番号が第０号のサブフレーム又は第５号のサブフレームである場合、対応するサブフレーム遅延を７及び６とするステップと、を含む請求項７に記載のメッセージ伝送方法。
【請求項２５】
第１号のサブフレーム又は第６号のサブフレームの上りリソースにおいて上り共有チャネルの伝送を行うと決定する場合、再送指示を１に設定し、そうでない場合、再送指示を０に設定するステップをさらに含む請求項２２に記載のメッセージ伝送方法。
【請求項２６】
前記少なくとも１つの上りリソースにおいて上り共有チャネルの伝送を行った後、
第０上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を７と決定し、第４号のサブフレーム又は第９号のサブフレームにおいて上り共有チャネルの伝送を行う場合、対応する再送指示チャネルを受信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレームにおいて上り共有チャネルの伝送を行う場合、対応する再送指示チャネルを受信するサブフレーム遅延を６と決定し、第４号のサブフレームにおいて上り共有チャネルの伝送を行う場合、対応する再送指示チャネルを受信するサブフレーム遅延を５と決定し、第８号のサブフレームにおいて上り共有チャネルの伝送を行う場合、対応する再送指示チャネルを受信するサブフレーム遅延を７と決定するステップと、をさらに含む請求項１に記載のメッセージ伝送方法。
【請求項２７】
前記少なくとも１つの上りリソースにおいて上り共有チャネルの伝送を行った後、
第０上り下りサブフレーム構成を採用する場合、第１号のサブフレーム又は第６号のサブフレームのうちのいずれか１つにおいて上り共有チャネルの伝送を行う場合、対応する再送指示チャネルを受信するサブフレーム遅延を５と決定し、第２号のサブフレーム又は第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を７と決定し、第４号のサブフレーム又は第９号のサブフレームにおいて上り共有チャネルの伝送を行う場合、対応する再送指示チャネルを受信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第４号のサブフレームにおいて上り共有チャネルの伝送を行う場合、対応する再送指示チャネルを受信するサブフレーム遅延を６と決定し、第８号のサブフレームにおいて上り共有チャネルの伝送を行う場合、対応する再送指示チャネルを受信するサブフレーム遅延を７と決定するステップと、をさらに含む請求項１に記載のメッセージ伝送方法。
【請求項２８】
基地局に適用されるメッセージ伝送方法であって、
ユーザー装置に対する上りグラント情報を生成するステップと、
前記上りグラント情報を送信するための下りサブフレームの番号又は再送指示情報を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信するステップと、を含むメッセージ伝送方法。
【請求項２９】
前記下りサブフレームにおいて前記ユーザー装置に前記上りグラント情報を送信することは、
前記ユーザー装置用の上りリソース選択ルールを指示するための上りリソース指示情報及び前記上りグラント情報を下り制御情報に追加し、前記下りサブフレームにおいて前記ユーザー装置に前記下り制御情報を送信するステップを含む請求項２８に記載のメッセージ伝送方法。
【請求項３０】
第０上り下りサブフレーム構成を採用する場合、上りリソース指示情報の最上位ビットを１、最下位ビットを０とし、又は、第０号のサブフレーム又は第５号のサブフレームにおいて再送指示チャネルを送信し、且つ再送指示が０である場合、対応する上りリソース選択ルールは下りサブフレームの番号が第０号のサブフレーム又は第５号のサブフレームである場合、対応するサブフレーム遅延を８とすると指示するステップと、
第０上り下りサブフレーム構成を採用する場合、上りリソース指示情報の最上位ビットを０、最下位ビットを１とし、又は、第０号のサブフレーム又は第５号のサブフレームにおいて再送指示チャネルを受信し、且つ再送指示が１である場合、対応する上りリソース選択ルールは下りサブフレームの番号が第０号のサブフレーム又は第５号のサブフレームである場合、対応するサブフレーム遅延を９とすると指示するステップと、
第０上り下りサブフレーム構成を採用する場合、上りリソース指示情報の最上位ビットを１、最下位ビットを１とし、対応する上りリソース選択ルールは下りサブフレームの番号が第０号のサブフレーム又は第５号のサブフレームである場合、対応するサブフレーム遅延を８及び９とすると指示するステップと、
第０上り下りサブフレーム構成を採用する場合、上りリソース指示情報の最上位ビットを１、最下位ビットを０とし、又は、第１号のサブフレーム又は第６号のサブフレームにおいて再送指示チャネルを受信し、且つ再送指示が０である場合、対応する上りリソース選択ルールは下りサブフレームの番号が第１号のサブフレーム又は第６号のサブフレームである場合、対応するサブフレーム遅延を１０とすると指示するステップと、
第０上り下りサブフレーム構成を採用する場合、上りリソース指示情報の最上位ビットを０、最下位ビットを１とし、又は、第１号のサブフレーム又は第６号のサブフレームにおいて再送指示チャネルを受信し、且つ再送指示が１である場合、対応する上りリソース選択ルールは下りサブフレームの番号が第１号のサブフレーム又は第６号のサブフレームである場合、対応するサブフレーム遅延を１１とすると指示するステップと、
第０上り下りサブフレーム構成を採用する場合、上りリソース指示情報の最上位ビットを１、最下位ビットを１とし、対応する上りリソース選択ルールは下りサブフレームの番号が第１号のサブフレーム又は第６号のサブフレームである場合、対応するサブフレーム遅延を１０及び１１とすると指示するステップと、をさらに含む請求項２９に記載のメッセージ伝送方法。
【請求項３１】
第０上り下りサブフレーム構成を採用する場合、上りリソース指示情報の最上位ビットを１、最下位ビットを０とし、又は、第０号のサブフレーム又は第５号のサブフレームにおいて再送指示チャネルを受信し、且つ再送指示が０である場合、対応する上りリソース選択ルールは下りサブフレームの番号が第０号のサブフレーム又は第５号のサブフレームである場合、対応するサブフレーム遅延を４とすると指示するステップと、
第０上り下りサブフレーム構成を採用する場合、上りリソース指示情報の最上位ビットを０、最下位ビットを１とし、又は、第０号のサブフレーム又は第５号のサブフレームにおいて再送指示チャネルを受信し、且つ再送指示が１である場合、対応する上りリソース選択ルールは下りサブフレームの番号が第０号のサブフレーム又は第５号のサブフレームである場合、対応するサブフレーム遅延を６とすると指示するステップと、
第０上り下りサブフレーム構成を採用する場合、上りリソース指示情報の最上位ビットを１、最下位ビットを１とし、対応する上りリソース選択ルールは下りサブフレームの番号が第０号のサブフレーム又は第５号のサブフレームである場合、対応するサブフレーム遅延を４及び６とすると指示するステップと、
第０上り下りサブフレーム構成を採用する場合、上りリソース指示情報の最上位ビットを１、最下位ビットを０とし、又は、第１号のサブフレーム又は第６号のサブフレームにおいて再送指示チャネルを受信し、且つ再送指示が０である場合、対応する上りリソース選択ルールは下りサブフレームの番号が第１号のサブフレーム又は第６号のサブフレームである場合、対応するサブフレーム遅延を６とすると指示するステップと、
第０上り下りサブフレーム構成を採用する場合、上りリソース指示情報の最上位ビットを０、最下位ビットを１とし、又は、第１号のサブフレーム又は第６号のサブフレームにおいて再送指示チャネルを受信し、且つ再送指示が１である場合、対応する上りリソース選択ルールは下りサブフレームの番号が第１号のサブフレーム又は第６号のサブフレームである場合、対応するサブフレーム遅延を７とすると指示するステップと、
第０上り下りサブフレーム構成を採用する場合、上りリソース指示情報の最上位ビットを１、最下位ビットを１とし、対応する上りリソース選択ルールは下りサブフレームの番号が第１号のサブフレーム又は第６号のサブフレームである場合、対応するサブフレーム遅延を６及び７とすると指示するステップと、をさらに含む請求項２９に記載のメッセージ伝送方法。
【請求項３２】
第０上り下りサブフレーム構成を採用する場合、上りリソース指示情報の最上位ビットを１、最下位ビットを０とし、対応する上りリソース選択ルールは、下りサブフレームが第０号のサブフレームである場合、対応するサブフレーム遅延を４とし、下りサブフレームが第１号のサブフレームである場合、対応するサブフレーム遅延を５及び６とし、下りサブフレームが第５号のサブフレームである場合、対応するサブフレーム遅延を４とし、下りサブフレームが第６号のサブフレームである場合、対応するサブフレーム遅延を５及び６とすると指示するステップと、
第０上り下りサブフレーム構成を採用する場合、上りリソース指示情報の最上位ビットを０、最下位ビットを１とし、対応する上りリソース選択ルールは、下りサブフレームが第０号のサブフレームである場合、対応するサブフレーム遅延を６及び７とし、下りサブフレームが第１号のサブフレームである場合、対応するサブフレーム遅延を７とし、下りサブフレームが第５号のサブフレームである場合、対応するサブフレーム遅延を６及び７とし、下りサブフレームが第６号のサブフレームである場合、対応するサブフレーム遅延を７とすると指示するステップと、
第０上り下りサブフレーム構成を採用する場合、上りリソース指示情報の最上位ビットを１、最下位ビットを１とし、対応する上りリソース選択ルールは、下りサブフレームが第０号のサブフレームである場合、対応するサブフレーム遅延を４、６及び７とし、下りサブフレームが第１号のサブフレームである場合、対応するサブフレーム遅延を５、６及び７とし、下りサブフレームが第５号のサブフレームである場合、対応するサブフレーム遅延を４、６及び７とし、下りサブフレームが第６号のサブフレームである場合、対応するサブフレーム遅延を５、６及び７とすると指示するステップと、をさらに含む請求項２９に記載のメッセージ伝送方法。
【請求項３３】
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む請求項２９に記載のメッセージ伝送方法。
【請求項３４】
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を６とするステップと、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を６及び７とするステップと、
第０上り下りサブフレーム構成を採用する場合、上りリソース指示情報の最上位ビットが０、最下位ビットが０である場合、上りリソース選択ルールは、下りサブフレームが第０号のサブフレーム又は第５号のサブフレームである場合、対応するサブフレーム遅延を４、６及び７とし、又は、対応するサブフレーム遅延を６及び７とし、又は対応するサブフレーム遅延を６とし、下りサブフレームが第１号のサブフレーム又は第６号のサブフレームである場合、対応するサブフレーム遅延を５、６及び７とし、又は、対応するサブフレーム遅延を６及び５とし、又は対応するサブフレーム遅延を５とするステップと、をさらに含む請求項２９に記載のメッセージ伝送方法。
【請求項３５】
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む請求項２９に記載のメッセージ伝送方法。
【請求項３６】
第０上り下りサブフレーム構成を採用する場合、上りリソース指示情報の最上位ビットを１、最下位ビットを０とし、対応する上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を５とすると指示するステップと、
第０上り下りサブフレーム構成を採用する場合、上りリソース指示情報中の最上位ビットを０、最下位ビットを１とすると、対応する上りリソース選択ルールは下りサブフレームが第０号のサブフレーム、第１号のサブフレーム、第５号のサブフレーム又は第６号のサブフレームである場合、対応するサブフレーム遅延を７とすると指示するステップと、
第０上り下りサブフレーム構成を採用する場合、上りリソース指示情報の最上位ビットを１、最下位ビットを１とし、対応する上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を５及び７とすると指示するステップと、をさらに含む請求項２９に記載のメッセージ伝送方法。
【請求項３７】
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を５と決定し、再送指示が１である場合、第１号のサブフレーム又は第６号のサブフレームに対応するサブフレーム遅延を７と決定するステップと、をさらに含む請求項２９に記載のメッセージ伝送方法。
【請求項３８】
第６上り下りサブフレーム構成を採用する場合、上りリソース指示情報の最上位ビットを１、最下位ビットを０とし、又は、第５号のサブフレームにおいて再送指示チャネルを受信し、且つ再送指示が０である場合、対応する上りリソース選択ルールは下りサブフレームの番号が第５号のサブフレームである場合、対応するサブフレーム遅延を１３とすると指示するステップと、
第６上り下りサブフレーム構成を採用する場合、上りリソース指示情報中の最上位ビットを０、最下位ビットを１とすると、又は、第５号のサブフレームにおいて再送指示チャネルを受信し、且つ再送指示が１である場合、対応する上りリソース選択ルールは下りサブフレームの番号が第５号のサブフレームである場合、対応するサブフレーム遅延を１６とすると指示するステップと、
第６上り下りサブフレーム構成を採用する場合、上りリソース指示情報の最上位ビットを１、最下位ビットを１とし、対応する上りリソース選択ルールは下りサブフレームの番号が第５号のサブフレームである場合、対応するサブフレーム遅延を１６及び１３とすると指示するステップと、をさらに含む請求項２９に記載のメッセージ伝送方法。
【請求項３９】
第６上り下りサブフレーム構成を採用する場合、上りリソース指示情報中の最上位ビットが１、最下位ビットが０であり、又は、第９号のサブフレームにおいて再送指示チャネルを受信し、且つ再送指示が０である場合、上りリソース選択ルールは、下りサブフレームの番号が第９号のサブフレームである場合、対応するサブフレーム遅延を１４とするステップと、
第６上り下りサブフレーム構成を採用する場合、上りリソース指示情報中の最上位ビットが０、最下位ビットが１であり、又は、第９号のサブフレームにおいて再送指示チャネルを受信し、且つ再送指示が１である場合、上りリソース選択ルールは、下りサブフレームの番号が第９号のサブフレームである場合、対応するサブフレーム遅延を１６とするステップと、
第６上り下りサブフレーム構成を採用する場合、上りリソース指示情報の最上位ビットが１、最下位ビットが１である場合、上りリソース選択ルールは、下りサブフレームの番号が第９号のサブフレームである場合、対応するサブフレーム遅延を１６及び１４とするステップと、をさらに含む請求項２９に記載のメッセージ伝送方法。
【請求項４０】
前記上りリソース指示情報は前記ユーザー装置用の上りリソース選択ルールを指示するためのものであり、
第６上り下りサブフレーム構成を採用する場合、前記下りサブフレームが第０号のサブフレーム、第１号のサブフレーム、第６号のサブフレームのうちのいずれかである場合、上りサブフレームに対応するサブフレーム遅延を１６と決定することを含む請求項２９に記載のメッセージ伝送方法。
【請求項４１】
第６上り下りサブフレーム構成を採用する場合、下りサブフレームが第０号のサブフレーム又は第５号のサブフレームである場合、対応するサブフレーム遅延を６及び７とし、下りサブフレームが第１号のサブフレーム又は第６号のサブフレームである場合、対応するサブフレーム遅延を７とし、下りサブフレームが第９号のサブフレームである場合、対応するサブフレーム遅延を５と決定するステップをさらに含む請求項２９に記載のメッセージ伝送方法。
【請求項４２】
第６上り下りサブフレーム構成を採用する場合、上りリソース指示情報の最上位ビットを１、最下位ビットを０とし、又は、第０号のサブフレーム又は第５号のサブフレームにおいて再送指示チャネルを受信し、且つ再送指示が０である場合、対応する上りリソース選択ルールは下りサブフレームの番号が第０号のサブフレーム又は第５号のサブフレームである場合、対応するサブフレーム遅延を７とすると指示するステップと、
第６上り下りサブフレーム構成を採用する場合、上りリソース指示情報の最上位ビットを０、最下位ビットを１とし、又は、第０号のサブフレーム又は第５号のサブフレームにおいて再送指示チャネルを受信し、且つ再送指示が１である場合、対応する上りリソース選択ルールは下りサブフレームの番号が第０号のサブフレーム又は第５号のサブフレームである場合、対応するサブフレーム遅延を６とすると指示するステップと、
第６上り下りサブフレーム構成を採用する場合、上りリソース指示情報の最上位ビットを１、最下位ビットを１とし、対応する上りリソース選択ルールは下りサブフレームの番号が第０号のサブフレーム又は第５号のサブフレームである場合、対応するサブフレーム遅延を６及び７とすると指示するステップと、をさらに含む請求項２９に記載のメッセージ伝送方法。
【請求項４３】
第１上り下りサブフレーム構成を採用する場合、下りサブフレームが第０号のサブフレーム、第１号のサブフレーム、第５号のサブフレーム、第６号のサブフレームのうちのいずれかである場合、対応するサブフレーム遅延を６と決定し、下りサブフレームが第４号のサブフレーム又は第９号のサブフレームである場合、対応するサブフレーム遅延を４と決定するステップと、
第２上り下りサブフレーム構成を採用する場合、下りサブフレームが第１号のサブフレーム又は第６号のサブフレームである場合、対応するサブフレーム遅延を５と決定し、下りサブフレームが第３号のサブフレーム又は第８号のサブフレームである場合、対応するサブフレーム遅延を４と決定するステップと、
第３上り下りサブフレーム構成を採用する場合、下りサブフレームが第０号のサブフレーム、第７号のサブフレーム、第８号のサブフレーム、第９号のサブフレームのうちのいずれかである場合、対応するサブフレーム遅延を４と決定するステップと、
第４上り下りサブフレーム構成を採用する場合、下りサブフレームが第７号のサブフレーム、第８号のサブフレーム、第９号のサブフレームのうちのいずれかである場合、対応するサブフレーム遅延を４と決定するステップと、
第５上り下りサブフレーム構成を採用する場合、下りサブフレームが第７号のサブフレーム又は第８号のサブフレームである場合、対応するサブフレーム遅延を４と決定するステップと、をさらに含む請求項２９に記載のメッセージ伝送方法。
【請求項４４】
前記下りサブフレームにおいて前記ユーザー装置に再送指示情報を送信した後、
第１上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を６と決定するステップと、
第２上り下りサブフレーム構成を採用する場合、第１号のサブフレーム、第６号のサブフレームにおいて上り共有チャネルの伝送を行う場合、対応する再送指示チャネルを受信するサブフレーム遅延を５と決定し、第２号のサブフレーム又は第７号のサブフレームにおいて上り共有チャネルの伝送を行う場合、対応する再送指示チャネルを受信するサブフレーム遅延を６と決定するステップと、
第３上り下りサブフレーム構成を採用する場合、第１号のサブフレーム、第２号のサブフレーム、第３号のサブフレーム、第４号のサブフレームのうちのいずれか１つにおいて上り共有チャネルの伝送を行う場合、対応する再送指示チャネルを受信するサブフレーム遅延を６と決定するステップと、
第４上り下りサブフレーム構成を採用する場合、第１号のサブフレーム、第２号のサブフレーム、第３号のサブフレームのうちのいずれか１つにおいて上り共有チャネルの伝送を行う場合、対応する再送指示チャネルを受信するサブフレーム遅延を６と決定するステップと、
第５上り下りサブフレーム構成を採用する場合、第１号のサブフレーム、第２号のサブフレームにおいて上り共有チャネルの伝送を行う場合、対応する再送指示チャネルを受信するサブフレーム遅延を６と決定するステップと、をさらに含む請求項２８に記載のメッセージ伝送方法。
【請求項４５】
前記下りサブフレームにおいて前記ユーザー装置に再送指示情報を送信した後、
第０上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを送信するサブフレーム遅延を４と決定し、第３号のサブフレーム又は第８号のサブフレームにおいて上り共有チャネルの伝送を行う場合、対応する再送指示チャネルを送信するサブフレーム遅延を７と決定し、第４号のサブフレーム又は第９号のサブフレームにおいて上り共有チャネルの伝送を行う場合、対応する再送指示チャネルを送信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを送信するサブフレーム遅延を４と決定し、第３号のサブフレームにおいて上り共有チャネルの伝送を行う場合、対応する再送指示チャネルを送信するサブフレーム遅延を６と決定し、第４号のサブフレームにおいて上り共有チャネルの伝送を行う場合、対応する再送指示チャネルを受信するサブフレーム遅延を５と決定し、第８号のサブフレームにおいて上り共有チャネルの伝送を行う場合、対応する再送指示チャネルを送信するサブフレーム遅延を７と決定するステップと、をさらに含む請求項２８に記載のメッセージ伝送方法。
【請求項４６】
前記下りサブフレームにおいて前記ユーザー装置に再送指示情報を送信した後、
第０上り下りサブフレーム構成を採用する場合、第１号のサブフレーム又は第６号のサブフレームのうちのいずれか１つにおいて上り共有チャネルの伝送を行う場合、対応する再送指示チャネルを受信するサブフレーム遅延を５と決定し、第２号のサブフレーム又は第７号のサブフレームのうちのいずれか１つにおいて上り共有チャネルの伝送を行う場合、対応する再送指示チャネルを送信するサブフレーム遅延を４と決定し、第３号のサブフレーム又は第８号のサブフレームにおいて上り共有チャネルの伝送を行う場合、対応する再送指示チャネルを送信するサブフレーム遅延を７と決定し、第４号のサブフレーム又は第９号のサブフレームにおいて上り共有チャネルの伝送を行う場合、対応する再送指示チャネルを送信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを送信するサブフレーム遅延を４と決定し、第３号のサブフレーム又は第４号のサブフレームにおいて上り共有チャネルの伝送を行う場合、対応する再送指示チャネルを送信するサブフレーム遅延を６と決定し、第８号のサブフレームにおいて上り共有チャネルの伝送を行う場合、対応する再送指示チャネルを送信するサブフレーム遅延を７と決定するステップと、をさらに含む請求項２８に記載のメッセージ伝送方法。
【請求項４７】
基地局側から送信された上りグラント情報又は再送指示情報を受信するように構成される受信ユニットと、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される処理ユニットと、
前記少なくとも１つの上りリソースにおいて上り共有チャネルの伝送を行うように構成される送信ユニットと、を備えるユーザー装置。
【請求項４８】
前記特殊サブフレームは少なくとも上りパイロットタイムスロット及び下りパイロットタイムスロットを含み、前記下りパイロットタイムスロットは１３１６８個の時間領域サンプリングポイントを含み、前記上りパイロットタイムスロットがノーマルサイクリックプレフィックスを採用する時に１３１５２個の時間領域サンプリングポイントを含み、又は上りパイロットタイムスロットが拡張サイクリックプレフィックスを採用する時に１２８００個の時間領域サンプリングポイントを含む場合、前記２つの時間領域サンプリングポイント間の時間間隔が１／（１５０００＊２０４８）秒である請求項４７に記載のユーザー装置。
【請求項４９】
前記受信ユニットは、決定した上りリソースが特殊サブフレームの上りパイロットタイムスロットである場合、上りパイロットタイムスロットに割り当てられる物理リソースブロック数を計算し、且つ前記物理リソースブロック数に対応する等価物理リソース数を計算し、前記等価物理リソースブロック数は物理リソースブロック数と所定の係数との積であり、変調符号化インデックスに基づきデータブロックサイズインデックスを検索し、等価物理リソースブロック数とデータブロックサイズインデックスに基づき、上りデータブロックの数値を計算するように構成される請求項４７に記載のユーザー装置。
【請求項５０】
前記処理ユニットは、下り制御情報を解析し、前記下り制御情報から、前記ユーザー装置用の上りリソース選択ルールを指示するための上りリソース指示情報及び前記上りグラント情報を抽出して取得するように構成される請求項４７に記載のユーザー装置。
【請求項５１】
前記処理ユニットは、前記上りリソース指示情報に基づき、採用する上りリソース選択ルールを決定し、前記上りリソース選択ルールは少なくとも上りリソース指示情報に対応するサブフレーム、及び各々のサブフレームに対応する少なくとも１種のサブフレーム遅延を含み、前記上りグラント情報を含んだ下りサブフレームの番号、及び前記上りリソース選択ルール中の対応する少なくとも１種のサブフレーム遅延に基づき、少なくとも１つの上りリソースを決定するように構成される請求項４７に記載のユーザー装置。
【請求項５２】
前記処理ユニットは、
第０上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは下りサブフレームの番号が第０号のサブフレーム又は第５号のサブフレームである場合、対応するサブフレーム遅延を８とし、
第０上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは下りサブフレームの番号が第０号のサブフレーム又は第５号のサブフレームである場合、対応するサブフレーム遅延を９とし、
第０上り下りサブフレーム構成を採用する場合、上りリソース指示情報中の最上位ビットが１、最下位ビットが１である場合、上りリソース選択ルールは下りサブフレームの番号が第０号のサブフレーム又は第５号のサブフレームである場合、対応するサブフレーム遅延を８及び９とし、
第０上り下りサブフレーム構成を採用する場合、上りリソース指示情報中の最上位ビットが１、最下位ビットが０であり、又は、第１号のサブフレーム又は第６号のサブフレームにおいて再送指示チャネルを受信し、且つ再送指示が０である場合、上りリソース選択ルールは下りサブフレームの番号が第１号のサブフレーム又は第６号のサブフレームである場合、対応するサブフレーム遅延を１０とし、
第０上り下りサブフレーム構成を採用する場合、上りリソース指示情報中の最上位ビットが０、最下位ビットが１であり、又は、第１号のサブフレーム又は第６号のサブフレームにおいて再送指示チャネルを受信し、且つ再送指示が１である場合、上りリソース選択ルールは下りサブフレームの番号が第１号のサブフレーム又は第６号のサブフレームである場合、対応するサブフレーム遅延を１１とし、
第０上り下りサブフレーム構成を採用する場合、上りリソース指示情報中の最上位ビットが１、且つ最下位ビットが１である場合、上りリソース選択ルールは下りサブフレームの番号が第１号のサブフレーム又は第６号のサブフレームである場合、対応するサブフレーム遅延を１０及び１１とするように構成される請求項４７に記載のユーザー装置。
【請求項５３】
前記処理ユニットは、
第０上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは下りサブフレームの番号が第０号のサブフレーム又は第５号のサブフレームである場合、対応するサブフレーム遅延を４とし、
第０上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは下りサブフレームの番号が第０号のサブフレーム又は第５号のサブフレームである場合、対応するサブフレーム遅延を６とし、
第０上り下りサブフレーム構成を採用する場合、上りリソース指示情報中の最上位ビットが１、最下位ビットが１である場合、上りリソース選択ルールは下りサブフレームの番号が第０号のサブフレーム又は第５号のサブフレームである場合、対応するサブフレーム遅延を４及び６とし、
第０上り下りサブフレーム構成を採用する場合、上りリソース指示情報中の最上位ビットが１、最下位ビットが０であり、又は、第１号のサブフレーム又は第６号のサブフレームにおいて再送指示チャネルを受信し、且つ再送指示が０である場合、上りリソース選択ルールは下りサブフレームの番号が第１号のサブフレーム又は第６号のサブフレームである場合、対応するサブフレーム遅延を６とし、
第０上り下りサブフレーム構成を採用する場合、上りリソース指示情報中の最上位ビットが０、最下位ビットが１であり、又は、第１号のサブフレーム又は第６号のサブフレームにおいて再送指示チャネルを受信し、且つ再送指示が１である場合、上りリソース選択ルールは下りサブフレームの番号が第１号のサブフレーム又は第６号のサブフレームである場合、対応するサブフレーム遅延を７とし、
第０上り下りサブフレーム構成を採用する場合、上りリソース指示情報の最上位ビットが１、最下位ビットが１である場合、上りリソース選択ルールは下りサブフレームの番号が第１号のサブフレーム又は第６号のサブフレームである場合、対応するサブフレーム遅延を６及び７とするように構成される請求項４７に記載のユーザー装置。
【請求項５４】
前記処理ユニットは、
第０上り下りサブフレーム構成を採用する場合、上りリソース指示情報中の最上位ビットが１、最下位ビットが０である場合、上りリソース選択ルールは、下りサブフレームが第０号のサブフレームである場合、対応するサブフレーム遅延を４とし、下りサブフレームが第１号のサブフレームである場合、対応するサブフレーム遅延を５及び６とし、下りサブフレームが第５号のサブフレームである場合、対応するサブフレーム遅延を４とし、下りサブフレームが第６号のサブフレームである場合、対応するサブフレーム遅延を５及び６とし、
第０上り下りサブフレーム構成を採用する場合、上りリソース指示情報中の最上位ビットが０、最下位ビットが１である場合、上りリソース選択ルールは、下りサブフレームが第０号のサブフレームである場合、対応するサブフレーム遅延を６及び７とし、下りサブフレームが第１号のサブフレームである場合、対応するサブフレーム遅延を７とし、下りサブフレームが第５号のサブフレームである場合、対応するサブフレーム遅延を６及び７とし、下りサブフレームが第６号のサブフレームである場合、対応するサブフレーム遅延を７とし、
第０上り下りサブフレーム構成を採用する場合、上りリソース指示情報の最上位ビットが１、最下位ビットが１である場合、上りリソース選択ルールは、下りサブフレームが第０号のサブフレームである場合、対応するサブフレーム遅延を４、６及び７とし、下りサブフレームが第１号のサブフレームである場合、対応するサブフレーム遅延を５、６及び７とし、下りサブフレームが第５号のサブフレームである場合、対応するサブフレーム遅延を４、６及び７とし、下りサブフレームが第６号のサブフレームである場合、対応するサブフレーム遅延を５、６及び７とするように構成される請求項４７に記載のユーザー装置。
【請求項５５】
前記処理ユニットは、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定し、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するように構成される請求項４７に記載のユーザー装置。
【請求項５６】
前記処理ユニットは、
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を６とし、
第０上り下りサブフレーム構成を採用する場合、上りリソース指示情報中の最上位ビットが０、最下位ビットが１である場合、上りリソース選択ルールは下りサブフレームが第０号のサブフレーム、第１号のサブフレーム、第５号のサブフレーム及び第６号のサブフレームのうちのいずれかである場合、対応するサブフレーム遅延を７とし、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を６及び７とし、
第０上り下りサブフレーム構成を採用する場合、上りリソース指示情報の最上位ビットが０、最下位ビットが０である場合、上りリソース選択ルールは、下りサブフレームが第０号のサブフレーム又は第５号のサブフレームである場合、対応するサブフレーム遅延を４、６及び７とし、又は、対応するサブフレーム遅延を６及び７とし、又は対応するサブフレーム遅延を６とし、下りサブフレームが第１号のサブフレーム又は第６号のサブフレームである場合、対応するサブフレーム遅延を５、６及び７とし、又は、対応するサブフレーム遅延を６及び５とし、又は対応するサブフレーム遅延を５とするように構成される請求項４７に記載のユーザー装置。
【請求項５７】
前記処理ユニットは、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定し、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するように構成される請求項４７に記載のユーザー装置。
【請求項５８】
前記処理ユニットは、
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を５とし、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とし、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を５及び７とするように構成される請求項４７に記載のユーザー装置。
【請求項５９】
前記処理ユニットは、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定し、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を５と決定し、再送指示が１である場合、第１号のサブフレーム又は第６号のサブフレームに対応するサブフレーム遅延を７と決定するように構成される請求項４７に記載のユーザー装置。
【請求項６０】
前記処理ユニットは、
第６上り下りサブフレーム構成を採用する場合、上りリソース指示情報中の最上位ビットが１、最下位ビットが０であり、又は、第５号のサブフレームにおいて再送指示チャネルを受信し、且つ再送指示が０である場合、上りリソース選択ルールは、下りサブフレームの番号が第５号のサブフレームである場合、対応するサブフレーム遅延を１３とし、
第６上り下りサブフレーム構成を採用する場合、上りリソース指示情報中の最上位ビットが０、最下位ビットが１であり、又は、第５号のサブフレームにおいて再送指示チャネルを受信し、且つ再送指示が１である場合、上りリソース選択ルールは、下りサブフレームの番号が第５号のサブフレームである場合、対応するサブフレーム遅延を１６とし、
第６上り下りサブフレーム構成を採用する場合、上りリソース指示情報の最上位ビットが１、最下位ビットが１である場合、上りリソース選択ルールは、下りサブフレームの番号が第５号のサブフレームである場合、対応するサブフレーム遅延を１６及び１３とするように構成される請求項４７に記載のユーザー装置。
【請求項６１】
前記処理ユニットは、
第６上り下りサブフレーム構成を採用する場合、上りリソース指示情報中の最上位ビットが１、最下位ビットが０であり、又は、第９号のサブフレームにおいて再送指示チャネルを受信し、且つ再送指示が０である場合、上りリソース選択ルールは、下りサブフレームの番号が第９号のサブフレームである場合、対応するサブフレーム遅延を１４とし、
第６上り下りサブフレーム構成を採用する場合、上りリソース指示情報中の最上位ビットが０、最下位ビットが１であり、又は、第９号のサブフレームにおいて再送指示チャネルを受信し、且つ再送指示が１である場合、上りリソース選択ルールは、下りサブフレームの番号が第９号のサブフレームである場合、対応するサブフレーム遅延を１６とし、
第６上り下りサブフレーム構成を採用する場合、上りリソース指示情報の最上位ビットが１、最下位ビットが１である場合、上りリソース選択ルールは、下りサブフレームの番号が第９号のサブフレームである場合、対応するサブフレーム遅延を１６及び１４とするように構成され、
前記処理ユニットは、具体的には、第６上り下りサブフレーム構成を採用する場合、前記下りサブフレームが第０号のサブフレーム、第１号のサブフレーム、第６号のサブフレームのうちのいずれかである場合、上りサブフレームに対応するサブフレーム遅延を１６と決定するように構成される請求項４７に記載のユーザー装置。
【請求項６２】
前記処理ユニットは、
第６上り下りサブフレーム構成を採用する場合、下りサブフレームが第０号のサブフレーム又は第５号のサブフレームである場合、対応するサブフレーム遅延を６及び７とし、下りサブフレームが第１号のサブフレーム又は第６号のサブフレームである場合、対応するサブフレーム遅延を７とし、下りサブフレームが第９号のサブフレームである場合、対応するサブフレーム遅延を５と決定し、第６上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは、下りサブフレームの番号が第０号のサブフレーム又は第５号のサブフレームである場合、対応するサブフレーム遅延を７とし、
第６上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは、下りサブフレームの番号が第０号のサブフレーム又は第５号のサブフレームである場合、対応するサブフレーム遅延を６とし、
第６上り下りサブフレーム構成を採用する場合、上りリソース指示情報の最上位ビットが１、最下位ビットが１である場合、上りリソース選択ルールは、下りサブフレームの番号が第０号のサブフレーム又は第５号のサブフレームである場合、対応するサブフレーム遅延を７及び６とするように構成される請求項４７に記載のユーザー装置。
【請求項６３】
処理ユニットは、
第１上り下りサブフレーム構成を採用する場合、下りサブフレームが第０号のサブフレーム、第１号のサブフレーム、第５号のサブフレーム、第６号のサブフレームのうちのいずれかである場合、対応するサブフレーム遅延を６と決定し、下りサブフレームが第４号のサブフレーム又は第９号のサブフレームである場合、対応するサブフレーム遅延を４と決定し、
第２上り下りサブフレーム構成を採用する場合、下りサブフレームが第１号のサブフレーム又は第９号のサブフレームである場合、対応するサブフレーム遅延を５と決定し、下りサブフレームが第３号のサブフレーム又は第８号のサブフレームである場合、対応するサブフレーム遅延を４と決定し、
第３上り下りサブフレーム構成を採用する場合、下りサブフレームが第０号のサブフレーム、第７号のサブフレーム、第８号のサブフレーム、第９号のサブフレームのうちのいずれかである場合、対応するサブフレーム遅延を４と決定し、
第４上り下りサブフレーム構成を採用する場合、下りサブフレームが第７号のサブフレーム、第８号のサブフレーム、第９号のサブフレームのうちのいずれかである場合、対応するサブフレーム遅延を４と決定し、
第５上り下りサブフレーム構成を採用する場合、下りサブフレームが第７号のサブフレーム又は第８号のサブフレームである場合、対応するサブフレーム遅延を４と決定するように構成される請求項４７に記載の方法。
【請求項６４】
前記処理ユニットは、
第１上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応するサブフレーム遅延を６と決定し、
第２上り下りサブフレーム構成を採用する場合、第１号のサブフレーム又は第６号のサブフレームにおいて上り共有チャネルの伝送を行う場合、対応する再送指示チャネルを受信するサブフレーム遅延を５と決定し、第２号のサブフレーム又は第７号のサブフレームにおいて上り共有チャネルの伝送を行う場合、対応するサブフレーム遅延を６と決定し、
第３上り下りサブフレーム構成を採用する場合、第１号のサブフレーム、第２号のサブフレーム、第３号のサブフレーム、第４号のサブフレームのうちのいずれか１つにおいて上り共有チャネルの伝送を行う場合、対応する再送指示チャネルを受信するサブフレーム遅延を６と決定し、
第４上り下りサブフレーム構成を採用する場合、第１号のサブフレーム、第２号のサブフレーム、第３号のサブフレームのうちのいずれか１つにおいて上り共有チャネルの伝送を行う場合、対応する再送指示チャネルを受信するサブフレーム遅延を６と決定し、
第５上り下りサブフレーム構成を採用する場合、第１号のサブフレーム又は第２号のサブフレームにおいて上り共有チャネルの伝送を行う場合、対応する再送指示チャネルを受信するサブフレーム遅延を６と決定するように構成される請求項４７に記載のユーザー装置。
【請求項６５】
前記処理ユニットは、
第０上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を７と決定し、第４号のサブフレーム又は第９号のサブフレームにおいて上り共有チャネルの伝送を行う場合、対応する再送指示チャネルを受信するサブフレーム遅延を６と決定し、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレームにおいて上り共有チャネルの伝送を行う場合、対応する再送指示チャネルを受信するサブフレーム遅延を６と決定し、第４号のサブフレームにおいて上り共有チャネルの伝送を行う場合、対応する再送指示チャネルを受信するサブフレーム遅延を５と決定し、第８号のサブフレームにおいて上り共有チャネルの伝送を行う場合、対応する再送指示チャネルを受信するサブフレーム遅延を７と決定するように構成される請求項４７に記載のユーザー装置。
【請求項６６】
前記処理ユニットは、
第０上り下りサブフレーム構成を採用する場合、第１号のサブフレーム又は第６号のサブフレームのうちのいずれか１つにおいて上り共有チャネルの伝送を行う場合、対応する再送指示チャネルを受信するサブフレーム遅延を５と決定し、第２号のサブフレーム又は第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を７と決定し、第４号のサブフレーム又は第９号のサブフレームにおいて上り共有チャネルの伝送を行う場合、対応する再送指示チャネルを受信するサブフレーム遅延を６と決定し、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第４号のサブフレームにおいて上り共有チャネルの伝送を行う場合、対応する再送指示チャネルを受信するサブフレーム遅延を６と決定し、第８号のサブフレームにおいて上り共有チャネルの伝送を行う場合、対応する再送指示チャネルを受信するサブフレーム遅延を７と決定するように構成される請求項４７に記載のユーザー装置。
【請求項６７】
基地局であって、
ユーザー装置に対する上りグラント情報又は再送指示情報を生成するように構成される情報生成ユニットと、
前記上りグラント情報を送信するための下りサブフレームの番号を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される管理ユニットと、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信するように構成される通信ユニットと、を備える基地局。
【請求項６８】
前記通信ユニットは、前記ユーザー装置用の上りリソース選択ルールを指示するための上りリソース指示情報及び前記上りグラント情報を下り制御情報に追加し、前記下りサブフレームにおいて前記ユーザー装置に前記下り制御情報を送信するように構成される請求項６７に記載の基地局。
【請求項６９】
プロセッサと、プロセッサに実行可能なコンピュータプログラムを記憶するメモリと、を備えるユーザー装置であって、
前記プロセッサは前記コンピュータプログラムを実行する時、請求項１乃至２７のいずれか一項に記載のメッセージ伝送方法のステップを実行するユーザー装置。
【請求項７０】
プロセッサと、プロセッサに実行可能なコンピュータプログラムを記憶するメモリと、を備える基地局であって、
前記プロセッサは前記コンピュータプログラムを実行する時、請求項２８乃至４６のいずれか一項に記載のメッセージ伝送方法のステップを実行する基地局。
【請求項７１】
コンピュータプログラムが記憶される記憶媒体であって、
前記コンピュータプログラムがプロセッサにより実行される時、請求項１乃至４６のいずれか一項に記載のメッセージ伝送方法のステップを実現する記憶媒体。
【発明の詳細な説明】
【技術分野】
【０００１】
本開示は通信分野の情報伝送技術に関し、特にメッセージ伝送方法、ユーザー装置、基地局及びコンピュータ記憶媒体に関する。
【０００２】
関連出願の相互参照
【０００３】
本願は出願番号が２０１６１０６５９１５１．７、出願日が２０１６年０８月１１日の中国特許出願に基づき提案され、該中国特許出願の優先権を主張し、該中国特許出願の全内容がここで参考として本願に組み込まれている。
【背景技術】
【０００４】
時分割ロングタームエボリューション（ＴＤ−ＬＴＥ  Ｔｉｍｅ  Ｄｉｖｉｓｉｏｎ  Ｌｏｎｇ  Ｔｅｒｍ  Ｅｖｏｌｕｔｉｏｎ）は等長のサブフレーム（Ｓｕｂ−ｆｒａｍｅ）構造を採用し、各サブフレームは１ｍｓであり、２つの０．５ｍｓのタイムスロットを含み、１０個のサブフレームから１０ｍｓの無線フレーム（Ｒａｄｉｏ  Ｆｒａｍｅ）が構成される。ＴＤ−ＬＴＥシステムの基本スケジューリング／伝送周期（ＴＴＩ：Ｔｒａｎｓｐｏｒｔ  Ｔｉｍｅ  Ｉｎｔｅｒｖａｌ）は１個のサブフレーム、すなわち１ｍｓである。それに対応して、フィードバックＴＴＩとデータ伝送ＴＴＩの間のＴＴＩ間隔はデータ伝送遅延及び装置がデータを処理する時間等の要素に応じて設定され、通常、４個のＴＴＩの時間長さとする。また、ＴＤ−ＬＴＥはさらに特殊サブフレームを導入し、特殊サブフレームは下りパイロットタイムスロット（ＤｗＰＴＳ：Ｄｏｗｎｌｉｎｋ  Ｐｉｌｏｔ  Ｔｉｍｅ  Ｓｌｏｔ）、保護区間（ＧＰ：Ｇｕａｒｄ  Ｐｅｒｉｏｄ）及び上りパイロットタイムスロット（ＵｐＰＴＳ：Ｕｐｌｉｎｋ  Ｐｉｌｏｔ  Ｔｉｍｅ  Ｓｌｏｔ）の３つの部分からなる。
【０００５】
従来、ＴＤＤフレーム構造の特殊サブフレーム構成モードは、３ＧＰＰ  ＴＳ  ３６．２１１に定義された特殊サブフレーム構成モード０〜９を含み、且つＵｐＰＴＳは上りシグナリングとデータを伝送しない。ハイブリッド自動再送要求（ＨＡＲＱ：ｈｙｂｒｉｄ  Ａｕｔｏｍａｔｉｃ  Ｒｅｐｅａｔ  ＲｅＱｕｅｓｔ）は自動再送要求ＡＲＱと前方誤り訂正（ＦＥＣ：Ｆｏｒｗａｒｄ  Ｅｒｒｏｒ  Ｃｏｒｒｅｃｔｉｏｎ）の組合せであり、ＬＴＥシステムのリンク適応の１種の手段である。
【０００６】
ＬＴＥシステムはＮチャネルのストップアンドウェイトＨＡＲＱプロトコルであり、すなわちＮ個のプロセスが同時に存在し、各プロセスにおいてストップアンドウェイトＡＲＱプロトコルを用いて伝送し、送信側が１個のデータパケットを送信した後に一時停止し、受信側からの確認メッセージをウェイトし、データが受信側に到達すると、エラー検出を行い、正確に受信するとＡＣＫメッセージを送信側にフィードバックし、そうでない場合は、ＮＡＣＫメッセージを送信側にフィードバックし、送信側はＡＣＫ信号を受信すると、新たなデータを再送信し、そうでない場合は、前回のデータパケットを再送する。並行したＮ個のプロセスはストップアンドウェイト中であり、ほかのプロセスはチャネルリソースを用いて伝送できる。
【発明の概要】
【発明が解決しようとする課題】
【０００７】
ＴＤ−ＬＴＥシステムにおいて、上りリンクは同期ＨＡＲＱ技術を使用し、各サブフレームは固定した時点に再送するが、上り下り伝送が時分割多重化するため、サブフレームごとに固定した同一のフィードバック時間間隔を割り当てることができない。異なるＴＤＤ  ＵＬ／ＤＬ構成、異なるサブフレームによって、ＵＬ  ｇｒａｎｔスケジューリング、ＡＣＫ／ＮＡＣＫフィードバック及び再送の時間間隔がいずれも異なる。
【０００８】
しかしながら、上記システムの設定では、上りサブフレーム数が下りサブフレーム数よりも少ないＴＤＤのタイムスロットの割合については、ＴＤＤの上り伝送リソースに限りがあるため、ＴＤ−ＬＴＥネットワークの上り伝送データレートと上り伝送スペクトル効率が著しく制限されている。
【０００９】
本開示は、従来技術の上記問題を解決するために、メッセージ伝送方法、ユーザー装置、基地局及び記憶媒体を提案することを主な目的とする。
【課題を解決するための手段】
【００１０】
上記目的を実現するために、本開示はメッセージ伝送方法を提供し、
基地局側から送信された上りグラント情報又は再送指示情報を受信するステップと、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記少なくとも１つの上りリソースにおいて上り共有チャネルの伝送を行うステップと、を含む。
【００１１】
本開示はメッセージ伝送方法を提供し、基地局に適用され、
ユーザー装置に対する上りグラント情報を生成するステップと、
前記上りグラント情報を送信するための下りサブフレームの番号又は再送指示情報を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信するステップと、を含む。
【００１２】
本開示はユーザー装置を提供し、
基地局側から送信された上りグラント情報又は再送指示情報を受信するように構成される受信ユニットと、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される処理ユニットと、
前記少なくとも１つの上りリソースにおいて上り共有チャネルの伝送を行うように構成される送信ユニットと、を備える。
【００１３】
本開示は基地局を提供し、
ユーザー装置に対する上りグラント情報又は再送指示情報を生成するように構成される情報生成ユニットと、
前記上りグラント情報又は再送指示情報を送信するための下りサブフレームの番号を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される管理ユニットと、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信するように構成される通信ユニットと、を備える。
【００１４】
本開示はユーザー装置を提供し、プロセッサと、プロセッサに実行可能なコンピュータプログラムを記憶するメモリと、を備え、
前記プロセッサは前記コンピュータプログラムを実行する時、前記方法のステップを実行するように構成される。
【００１５】
本開示は基地局を提供し、プロセッサと、プロセッサに実行可能なコンピュータプログラムを記憶するメモリと、を備え、
前記プロセッサは前記コンピュータプログラムを実行する時、前記方法のステップを実行するように構成される。
【００１６】
本開示は記憶媒体を提供し、コンピュータプログラムが記憶され、該コンピュータプログラムがプロセッサに実行される時、前記方法のステップを実現する。
【発明の効果】
【００１７】
本開示に係るメッセージ伝送方法、ユーザー装置、基地局及び記憶媒体によれば、ユーザー装置は基地局からの上りグラント情報又は再送指示情報に対応する下りサブフレームを受信すると、下りサブフレームに基づき、対応する上りリソースを決定でき、特に上りリソースは特殊サブフレームの上りパイロットタイムスロットを含んでもよく、このように、より多くの上りリソースを上り信号の伝送に使用でき、また、上り信号を伝送するための上りリソースが増加するため、各々の上りリソースにベアラされた情報量をさらに減少させ、上り情報の伝送スペクトルを確保する効果を実現する。
【図面の簡単な説明】
【００１８】
【図１】本開示の実施例に係るメッセージ伝送方法のフローチャート１である。
【図２ａ】本開示の実施例に係るサブフレーム構成に対応する設定の概略図である。
【図２ｂ】本開示の実施例に係るサブフレーム構成の概略図である。
【図３】本開示の実施例に係る上りのフローチャートである。
【図４】本開示の実施例に係るメッセージ伝送方法のフローチャート２である。
【図５】本開示の実施例に係るユーザー装置の構造図である。
【図６】本開示の実施例に係る基地局の構造の概略図である。
【発明を実施するための形態】
【００１９】
以下、図面及び具体的な実施例を参照して本願を更に詳細に説明する。
【実施例１】
【００２０】
本開示の実施例はメッセージ伝送方法を提供し、ユーザー装置に適用され、図１に示すように、
基地局側から送信された上りグラント情報又は再送指示情報を受信するステップ１０１と、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップ１０２と、
前記少なくとも１つの上りリソースにおいて上り共有チャネルの伝送を行うステップ１０３と、を含む。
【００２１】
なお、技術案において、追加した特殊サブフレーム構成モード１０では、ＤｗＰＴＳ：ＧＰ：ＵｐＰＴＳの比は６：２：６である。具体的には、前記特殊サブフレームは少なくとも上りパイロットタイムスロット及び下りパイロットタイムスロットを含み、前記下りパイロットタイムスロットは１３１６８個の時間領域サンプリングポイントを含み、前記上りパイロットタイムスロットがノーマルサイクリックプレフィックスを採用する時に１３１５２個の時間領域サンプリングポイントを含み、又は上りパイロットタイムスロットが拡張サイクリックプレフィックスを採用する時に１２８００個の時間領域サンプリングポイントを含む場合、前記２つの時間領域サンプリングポイント間の時間間隔が１／（１５０００＊２０４８）秒である。
【００２２】
更に、本実施例では、前記少なくとも１種のサブフレーム遅延に基づき少なくとも１つの上りリソースを決定したうえで、物理リソースの割当を行ない、具体的には、
決定した上りリソースが特殊サブフレームの上りパイロットタイムスロットである場合、上りパイロットタイムスロットに割り当てられる物理リソースブロック数を計算し、且つ前記物理リソースブロック数に対応する等価物理リソース数を計算し、前記等価物理リソースブロック数は物理リソースブロック数と所定の係数との積であるステップと、
変調符号化インデックスに基づきデータブロックサイズインデックスを検索し、等価物理リソースブロック数とデータブロックサイズインデックスに基づき、上りデータブロックの数値を計算するステップと、をさらに含む。
【００２３】
例えば、ＵｐＰＴＳのＰＵＳＣＨ伝送に対して、端末はまずＵＬ  ｇｒａｎｔを伝送するＤＣＩ  ｆｏｒｍａｔから上りリソース割当ＲＩＶを読み取り、リソース割当ＲＩＶの値によって端末に割り当てるＰＲＢ数Ｎ＿ＰＲＢを取得し、更に以下の可能な方法によってＮ＿ＰＲＢを圧縮して等価物理リソースブロック数（Ｎ＿ＰＲＢ’）を取得し、端末はＵＬ  ｇｒａｎｔを伝送するＤＣＩ  ｆｏｒｍａｔからＩ＿ＭＣＳを読み取り、Ｉ＿ＭＣＳによってＩ＿ＴＢＳを検索し、Ｉ＿ＴＢＳとＮ＿ＰＲＢ’  に基づきプロトコルのＴＢＳテーブルにおいて対応するＴＢＳを検索し、次に後続の符号化、変調及び伝送を行う。
【００２４】
前記等価物理リソースブロック数は物理リソースブロック数と所定の係数との積であり、Ｎ＿ＰＲＢ’の計算方法について、以下の例がある。
【００２５】
例１
【数１】
2019522440.tif 000003
【００２６】
本例では、物理リソースブロック数を１つの比較的大きなＴＢＳに等価する。
【００２７】
例２
【数２】
2019522440.tif 000004
【００２８】
本例では、物理リソースブロック数を１つの比較的小さなＴＢＳに等価する。
【００２９】
【数３】
2019522440.tif 000005
である場合、適切なＴＢＳを選択することができなくなる可能性があり、すなわち、ビットレートが１より大きい可能性があるが、これは基地局の実装に依存でき、また、すなわち、割り当てられたＮ＿ＰＲＢの数値は比較的大きい可能性がある。
【００３０】
前記所定の係数は実際の状況に応じて設定でき、上記２つの例のαは所定の係数であり、上記αの値は以下のいくつかの実施例を含む。
【００３１】
基準の１種として、
α＝（Ｎ＿ＵｐＰＴＳ−Ｎ＿ＳＲＳ−Ｕｐ＿ＤＭＲＳ）／（１４−ＵＬ＿ＤＭＲＳ）であり、
ここで、Ｎ＿ＵｐＰＴＳはＵｐＰＴＳのシンボル数、Ｎ＿ＳＲＳはＵｐＰＴＳにおけるＳＲＳ伝送用のシンボル数であり、
具体的な数値のいくつかの実施例について、上記基準に基づき、更にいくつかの具体的な数値の実施例を与える。
α＝６／１２＝０．５、
α＝５／１２＝０．４１７、
α＝４／１２＝０．３３、
α＝３／１２＝０．２５、
α＝２／１２＝０．１７、
α＝１／１２＝０．０８、
α＝０．３７５、
α＝０．１２５。
【００３２】
上記特殊サブフレーム構成モードではＵｐＰＴＳデザインはＰＵＳＣＨ伝送をサポートし、且つＵｐＰＴＳは１つの独立した伝送リソースとして、独立したデータブロックを伝送する時、上りＨＡＲＱタイミングを設計し、ランダムアクセスプロセスを考慮しないため、主に以下のタイミングを含む。
【００３３】
（１）ｅＮＢはＳＲ／ＢＳＲを受信した後にＵＬ  ｇｒａｎｔを割り当て、ＵＥは該ＵＬ  ｇｒａｎｔを用いてＰＵＳＣＨにおいてデータを送信するタイミング；
（２）ｅＮＢはＰＨＩＣＨにおいてＮＡＣＫを送信し、ＵＥはＰＨＩＣＨを受信するタイミング；
（３）ＵＥは上り再送を実行する同期タイミング。
【００３４】
更に、本実施例では、具体的な設計は以下の２種の解決方法を含む。
【００３５】
解決方法１：ＨＡＲＱタイミングテーブルを再設計する。
ａ）ＵｐＰＴＳのＡＣＫ／ＮＡＣＫ情報伝送とデータ伝送との間の間隔を４ｍｓ以上（つまり、４つのサブフレームの長さ以上）とする。
ｂ）ＵｐＰＴＳのＡＣＫ／ＮＡＣＫ情報伝送とデータ伝送との間の間隔を４＊６  ＳＣ−ＯＦＤＭシンボル以上とする。
【００３６】
解決方法２：従来のＨＡＲＱタイミングテーブルを変更せず、１つのＵｐＰＴＳのプロセスのみを追加する。
【００３７】
また、本実施例では、ＴＤＤシステムに対して、異なるＵＬ／ＤＬ構成を考慮する必要があり、ＬＴＥは７種の異なるＴＤＤ上り下り構成をサポートし、図２ａに示すように、図示する７種の上り下りサブフレーム構成はそれぞれ第０上り下りサブフレーム構成〜第６上り下りサブフレーム構成と呼称され、図中、Ｄは下りサブフレーム、Ｓは特殊サブフレーム、Ｕは上りサブフレームを示す。また、なお、ＴＤ−ＬＴＥシステムにおいて、上りリンクは同期ＨＡＲＱ技術を使用し、各サブフレームが固定した時点に再送を行うが、上り下り伝送が時分割多重化するため、各サブフレームに固定した同一のフィードバック時間間隔を割り当てることができない。異なるＴＤＤ  ＵＬ／ＤＬ構成、異なるサブフレームによって、ＵＬ  ｇｒａｎｔスケジューリング、ＡＣＫ／ＮＡＣＫフィードバック及び再送の時間間隔がともに異なる。図２ｂに示すように、ＴＤＤ  ｃｏｎｆｉｇ．６に対して上りでは計６個のＨＡＲＱプロセスがあり、上り第１個のプロセスサブフレーム２のＵＬ  ｇｒａｎｔは前の無線フレームのサブフレーム５にあり、ＡＣＫ／ＮＡＣＫフィードバックはサブフレーム６にあり、再送サブフレームは次の無線フレームのサブフレーム３である。
【００３８】
上記した前記基地局側から送信された上りグラント情報を受信することは、下り制御情報を解析し、前記下り制御情報から、前記ユーザー装置用の上りリソース選択ルールを指示するための上りリソース指示情報及び前記上りグラント情報を抽出して取得するステップを含む。
【００３９】
前記下り制御情報はＤＣＩ  フォーマット０であり、該メッセージはＰＤＣＣＨに含まれ、ＤＣＩフォーマット  ０に上りグラント情報ＵＬ−ｇｒａｎｔが含まれ、更に、上りリソース指示情報ＵＬ−ＩｎｄｅｘはＵＬ−Ｇｒａｎｔに含まれるようにしてもよい。
【００４０】
前記上りグラント情報を含んだ下りサブフレームの番号に基づき、対応する少なくとも１種のサブフレーム遅延を決定し、前記少なくとも１種のサブフレーム遅延に基づき少なくとも１つの上りリソースを決定することは、
前記上りリソース指示情報に基づき、採用する上りリソース選択ルールを決定し、前記上りリソース選択ルールは少なくとも、上りリソース指示情報に対応する１つのサブフレーム、及び各々のサブフレームに対応する少なくとも１種のサブフレーム遅延を含むステップと、
前記上りグラント情報を含んだ下りサブフレームの番号、及び前記上りリソース選択ルール中の対応する少なくとも１種のサブフレーム遅延に基づき、少なくとも１つの上りリソースを決定するステップと、を含む。
【００４１】
以下、７種の上り下りサブフレーム構成に基づき、それぞれメッセージ伝送を説明し、特にユーザー装置側がどのサブフレームで上りチャネルの伝送を行うかを如何に決定することに重点をおいて説明し、前記上りチャネルはＰＵＳＣＨであってもよい。また、ユーザー装置はＵＬ−ｇｒａｎｔを受信する時に、基地局に送信されようとするＰＵＳＣＨ伝送のタイミングを決定する。具体的なシナリオは以下を含む。
【００４２】
シナリオ１
前記上りリソース指示情報に基づき、採用する上りリソース選択ルールを決定することは、
第１上り下りサブフレーム構成を採用する場合、下りサブフレームが第０号のサブフレーム、第１号のサブフレーム、第５号のサブフレーム、第６号のサブフレームのうちのいずれかである場合、対応するサブフレーム遅延を６と決定し、下りサブフレームが第４号のサブフレーム又は第９号のサブフレームである場合、対応するサブフレーム遅延を４と決定するステップと、
第２上り下りサブフレーム構成を採用する場合、下りサブフレームが第１号のサブフレーム又は第６号のサブフレームである場合、対応するサブフレーム遅延を５と決定し、下りサブフレームが第３号のサブフレーム又は第８号のサブフレームである場合、対応するサブフレーム遅延を４と決定するステップと、
第３上り下りサブフレーム構成を採用する場合、下りサブフレームが第０号のサブフレーム、第７号のサブフレーム、第８号のサブフレーム、第９号のサブフレームのうちのいずれかである場合、対応するサブフレーム遅延を４と決定するステップと、
第４上り下りサブフレーム構成を採用する場合、下りサブフレームが第７号のサブフレーム、第８号のサブフレーム、第９号のサブフレームのうちのいずれかである場合、対応するサブフレーム遅延を４と決定するステップと、
第５上り下りサブフレーム構成を採用する場合、下りサブフレームが第７号のサブフレーム又は第８号のサブフレームである場合、対応するサブフレーム遅延を４と決定するステップと、を含む。
【００４３】
すなわち、構成１−５のｋ値（２種の解決方法に適用できる）は、表１を参照してください。
【００４４】
【表１】
2019522440.tif 000006
【００４５】
なお、従来技術における上り伝送に比べて、本シナリオの相違点は、特殊タイムスロットのＵｐＰＴＳにおいて上りチャネルの伝送を可能にし、特にＵｐＰＴＳにおいてＰＵＳＣＨの伝送を可能にすることであり、例えば、表１に示されるサブフレーム１において上り伝送を行う。
【００４６】
シナリオ２
前記上りリソース指示情報に基づき、採用する上りリソース選択ルールを決定することは、
【００４７】
第０上り下りサブフレーム構成を採用する場合、上りリソース指示情報中の最上位ビット（Ｍｏｓｔ  Ｓｉｇｎｉｆｉｃａｎｔ  Ｂｉｔ：ＭＳＢ）が１、最下位ビット（Ｌｅａｓｔ  Ｓｉｇｎｉｆｉｃａｎｔ  Ｂｉｔ：ＬＳＢ）が０であり、又は、第０号のサブフレーム又は第５号のサブフレームにおいて再送指示チャネルを受信し、且つ再送指示が０である場合、上りリソース選択ルールは下りサブフレームの番号が第０号のサブフレーム又は第５号のサブフレームである場合、対応するサブフレーム遅延を８とするステップと、
【００４８】
第０上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは下りサブフレームの番号が第０号のサブフレーム又は第５号のサブフレームである場合、対応するサブフレーム遅延を９とするステップと、
第０上り下りサブフレーム構成を採用する場合、上りリソース指示情報中の最上位ビットが１、最下位ビットが１である場合、上りリソース選択ルールは下りサブフレームの番号が第０号のサブフレーム又は第５号のサブフレームである場合、対応するサブフレーム遅延を８及び９とするステップと、
第０上り下りサブフレーム構成を採用する場合、上りリソース指示情報中の最上位ビットが１、最下位ビットが０であり、又は、第１号のサブフレーム又は第６号のサブフレームにおいて再送指示チャネルを受信し、且つ再送指示が０である場合、上りリソース選択ルールは下りサブフレームの番号が第１号のサブフレーム又は第６号のサブフレームである場合、対応するサブフレーム遅延を１０とするステップと、
第０上り下りサブフレーム構成を採用する場合、上りリソース指示情報中の最上位ビットが０、最下位ビットが１であり、又は、第１号のサブフレーム又は第６号のサブフレームにおいて再送指示チャネルを受信し、且つ再送指示が１である場合、上りリソース選択ルールは下りサブフレームの番号が第１号のサブフレーム又は第６号のサブフレームである場合、対応するサブフレーム遅延を１１とするステップと、
第０上り下りサブフレーム構成を採用する場合、上りリソース指示情報中の最上位ビットが１、且つ最下位ビットが１である場合、上りリソース選択ルールは下りサブフレームの番号が第１号のサブフレーム又は第６号のサブフレームである場合、対応するサブフレーム遅延を１０及び１１とするステップと、を含む。
【００４９】
例えば、サブフレーム０に対して、サブフレーム８をスケジューリングしてもよく、サブフレーム９をスケジューリングしてもよく、そのスケジューリングするサブフレームを決定するために、以下の規定を定義する。
【００５０】
サブフレーム０及び５に対して、
１個のＤＣＩ０のリソースは（ｎ＋ｋ）にも使用でき、（ｎ＋９）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム０又は５においてＰＨＩＣＨを受信し、且つ対応する
【数４】
2019522440.tif 000007
であり、対話する両方が（ｎ＋ｋ）のルールを使用する必要があるのを示し、この時、１個のＤＣＩ０は１個のＰＵＳＣＨのリソースをスケジューリングし、
【００５１】
最上位ビット（ＭＳＢ）＝０、最下位ビット（ＬＳＢ）＝１であり、又はサブフレーム０又は５においてＰＨＩＣＨを受信し、且つ対応する
【数５】
2019522440.tif 000008
であり、対話する両方が（ｎ＋９）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋９）のルールを同時に使用する必要があるのを示し、この時、１個のＤＣＩ０は２個のＰＵＳＣＨのリソースを同時にスケジューリングする。
【００５２】
サブフレーム１及び６に対して、
１個のＤＣＩ０のリソースは（ｎ＋ｋ）にも使用でき、（ｎ＋１１）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム１又は６においてＰＨＩＣＨを受信し、且つ対応する
【数６】
2019522440.tif 000009
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム１又は６においてＰＨＩＣＨを受信し、且つ対応する
【数７】
2019522440.tif 000010
であり、対話する両方が（ｎ＋１１）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋９）のルールを同時に使用する必要があるのを示し、この時、１個のＤＣＩ０は２個のＰＵＳＣＨのリソースを同時にスケジューリングする。
【００５３】
表２は構成０のｋ値（ＨＡＲＱタイミングテーブルを再設計する場合に適用できる）である。
【００５４】
【表２】
2019522440.tif 000011
【００５５】
ＴＤＤ上り下り構成０の場合、第４号のサブフレーム又は第２号のサブフレーム又は第７号のサブフレーム又は第９号のサブフレーム中の上りリソースにおいて上り共有チャネルの伝送を行うと決定する場合、再送指示を１に設定し、そうでない場合、再送指示を０に設定する。
【００５６】
シナリオ３
前記上りリソース指示情報に基づき、採用する上りリソース選択ルールを決定することは、
第０上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは下りサブフレームの番号が第０号のサブフレーム又は第５号のサブフレームである場合、対応するサブフレーム遅延を４とするステップと、
第０上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは下りサブフレームの番号が第０号のサブフレーム又は第５号のサブフレームである場合、対応するサブフレーム遅延を６とするステップと、
第０上り下りサブフレーム構成を採用する場合、上りリソース指示情報中の最上位ビットが１、最下位ビットが１である場合、上りリソース選択ルールは下りサブフレームの番号が第０号のサブフレーム又は第５号のサブフレームである場合、対応するサブフレーム遅延を４及び６とするステップと、
第０上り下りサブフレーム構成を採用する場合、上りリソース指示情報中の最上位ビットが１、最下位ビットが０であり、又は、第１号のサブフレーム又は第６号のサブフレームにおいて再送指示チャネルを受信し、且つ再送指示が０である場合、上りリソース選択ルールは下りサブフレームの番号が第１号のサブフレーム又は第６号のサブフレームである場合、対応するサブフレーム遅延を６とするステップと、
第０上り下りサブフレーム構成を採用する場合、上りリソース指示情報中の最上位ビットが０、最下位ビットが１であり、又は、第１号のサブフレーム又は第６号のサブフレームにおいて再送指示チャネルを受信し、且つ再送指示が１である場合、上りリソース選択ルールは下りサブフレームの番号が第１号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは下りサブフレームの番号が第１号のサブフレーム又は第６号のサブフレームである場合、対応するサブフレーム遅延を６及び７とするステップと、を含む。
【００５７】
構成０（ｃａｓｅ０＆ｃａｓｅ１＆ｃａｓｅ２）のｋ値（従来のＨＡＲＱタイミングテーブルを変更しない場合に適用できる）は表３に示される。
【００５８】
【表３】
2019522440.tif 000012
【００５９】
具体的には、ＵｐＰＴＳのＰＵＳＣＨとそれに次いだ上りサブフレームのＰＵＳＣＨはそれぞれ異なるＵＬ  ｇｒａｎｔを用いてスケジューリングを行い、１個のＵＬ  ｇｒａｎｔは多くとも２個のＰＵＳＣＨをスケジューリングする。
【００６０】
例えば、サブフレーム０に対して、サブフレーム４をスケジューリングしてもよく、サブフレーム６をスケジューリングしてもよく、そのスケジューリングするサブフレームを決定するために、以下の規定を定義する。
【００６１】
（１）サブフレーム０及び５に対して、
１個のＤＣＩ０のリソースは（ｎ＋ｋ）にも使用でき、（ｎ＋６）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム０又は５においてＰＨＩＣＨを受信し、且つ対応する
【数８】
2019522440.tif 000013
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム０又は５においてＰＨＩＣＨを受信し、且つ対応する
【数９】
2019522440.tif 000014
であり、対話する両方が（ｎ＋６）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋６）のルールを同時に使用する必要があるのを示し、この時、１個のＤＣＩ０は２個のＰＵＳＣＨのリソースを同時にスケジューリングする。
【００６２】
サブフレーム１及び６に対して、１個のＤＣＩ０のリソースは（ｎ＋ｋ）にも使用でき、（ｎ＋７）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム１又は６においてＰＨＩＣＨを受信し、且つ対応する
【数１０】
2019522440.tif 000015
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム１又は６においてＰＨＩＣＨを受信し、且つ対応する
【数１１】
2019522440.tif 000016
であり、対話する両方が（ｎ＋７）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、１個のＤＣＩ０は２個のＰＵＳＣＨのリソースを同時にスケジューリングする。
【００６３】
ＴＤＤ上り下り構成０の場合、第１号のサブフレーム又は第２号のサブフレーム又は第６号のサブフレーム又は第７号のサブフレーム中の上りリソースにおいて上り共有チャネルの伝送を行うと決定する場合、再送指示を１に設定し、そうでない場合、再送指示を０に設定する。
【００６４】
シナリオ４
前記上りリソース指示情報に基づき、採用する上りリソース選択ルールを決定することは、
第０上り下りサブフレーム構成を採用する場合、上りリソース指示情報中の最上位ビットが１、最下位ビットが０である場合、上りリソース選択ルールは、下りサブフレームが第０号のサブフレームである場合、対応するサブフレーム遅延を４とし、下りサブフレームが第１号のサブフレームである場合、対応するサブフレーム遅延を５及び６とし、下りサブフレームが第５号のサブフレームである場合、対応するサブフレーム遅延を４とし、下りサブフレームが第６号のサブフレームである場合、対応するサブフレーム遅延を５及び６とするステップと、
第０上り下りサブフレーム構成を採用する場合、上りリソース指示情報中の最上位ビットが０、最下位ビットが１である場合、上りリソース選択ルールは、下りサブフレームが第０号のサブフレームである場合、対応するサブフレーム遅延を６及び７とし、下りサブフレームが第１号のサブフレームである場合、対応するサブフレーム遅延を７とし、下りサブフレームが第５号のサブフレームである場合、対応するサブフレーム遅延を６及び７とし、下りサブフレームが第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレームである場合、対応するサブフレーム遅延を４、６及び７とし、下りサブフレームが第１号のサブフレームである場合、対応するサブフレーム遅延を５、６及び７とし、下りサブフレームが第５号のサブフレームである場合、対応するサブフレーム遅延を４、６及び７とし、下りサブフレームが第６号のサブフレームである場合、対応するサブフレーム遅延を５、６及び７とするステップと、を含む。
【００６５】
前記方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む。
【００６６】
ＵｐＰＴＳのＰＵＳＣＨとそれに次いだ上りサブフレームのＰＵＳＣＨに対して同一ＵＬ  ｇｒａｎｔでスケジューリングを行い、すなわちサブフレーム６のＵＬ  ｇｒａｎｔとサブフレーム７のＵＬ  ｇｒａｎｔがバインディングされ、サブフレーム１のＵＬ  ｇｒａｎｔとサブフレーム２のＵＬ  ｇｒａｎｔがバインディングされる。
【００６７】
例えば、サブフレーム０に対して、サブフレーム４をスケジューリングしてもよく、スケジューリングサブフレーム６及び７をスケジューリングしてもよく、そのスケジューリングするサブフレームを決定するために、以下の規定を定義する。
【００６８】
１個のＤＣＩ０のリソースは（ｎ＋ｋ）にも使用でき、（ｎ＋７）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、対話する両方が（ｎ＋ｋ）のルールを使用する必要があるのを示し、この時、サブフレーム０はサブフレーム４をスケジューリングし、サブフレーム１はサブフレーム６及び７をスケジューリングし、サブフレーム５はサブフレーム９をスケジューリングし、サブフレーム６はサブフレーム１及び２をスケジューリングし、すなわち、１個のＤＣＩ０は多くとも２個のＰＵＳＣＨのリソースを同時にスケジューリングし、
最上位ビット（ＭＳＢ）＝０、最下位ビット（ＬＳＢ）＝１であり、対話する両方が（ｎ＋７）のルールを使用する必要があるのを示し、この時、サブフレーム０はサブフレーム６及び７をスケジューリングし、サブフレーム１はサブフレーム８をスケジューリングし、サブフレーム５はサブフレーム１及び２をスケジューリングし、サブフレーム６はサブフレーム３をスケジューリングし、すなわち、１個のＤＣＩ０は多くとも２個のＰＵＳＣＨのリソースを同時にスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、サブフレーム０はサブフレーム４、６及び７をスケジューリングし、サブフレーム１はサブフレーム６、７及び８をスケジューリングし、サブフレーム５はサブフレーム９、１及び２をスケジューリングし、サブフレーム６はサブフレーム１、２及び３をスケジューリングし、すなわち、１個のＤＣＩ０は３個のＰＵＳＣＨのリソースを同時にスケジューリングする。
【００６９】
シナリオ５
前記上りリソース指示情報に基づき、採用する上りリソース選択ルールを決定することは、
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を６とするステップと、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を６及び７とするステップと、
第０上り下りサブフレーム構成を採用する場合、上りリソース指示情報の最上位ビットが０、最下位ビットが０である場合、上りリソース選択ルールは、下りサブフレームが第０号のサブフレーム又は第５号のサブフレームである場合、対応するサブフレーム遅延を４、６及び７とし、又は、対応するサブフレーム遅延を６及び７とし、又は対応するサブフレーム遅延を６とし、下りサブフレームが第１号のサブフレーム又は第６号のサブフレームである場合、対応するサブフレーム遅延を５、６及び７とし、又は、対応するサブフレーム遅延を６及び５とし、又は対応するサブフレーム遅延を５とするステップと、を含む。
【００７０】
前記方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む。
【００７１】
本シナリオでは、１個のＵＬ  ｇｒａｎｔは多くとも３個のＰＵＳＣＨをスケジューリングする。例えば、サブフレーム０に対して、サブフレーム４をスケジューリングしてもよく、スケジューリングサブフレーム６及び７をスケジューリングしてもよく、そのスケジューリングするサブフレームを決定するために、以下の規定を定義する。
【００７２】
プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、対話する両方が（ｎ＋７）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、１個のＤＣＩ０は２個のＰＵＳＣＨのリソースを同時にスケジューリングする。
【００７３】
最上位ビット（ＭＳＢ）＝０、最下位ビット（ＬＳＢ）＝０は、
サブフレーム０とサブフレーム５に対して、
対話する両方が（ｎ＋ｋ）及び（ｎ＋６）及び（ｎ＋７）のルールを同時に使用する必要があるのを示し、この時、１個のＤＣＩ０は３個のＰＵＳＣＨのリソースを同時にスケジューリングし、
対話する両方が（ｎ＋６）及び（ｎ＋７）のルールを同時に使用する必要があるのを示し、この時、１個のＤＣＩ０は２個のＰＵＳＣＨのリソースを同時にスケジューリングし、
対話する両方が（ｎ＋６）のルールを使用する必要があるのを示し、この時、１個のＤＣＩ０は１個のＰＵＳＣＨのリソースをスケジューリングする。
【００７４】
なお、上記具体的な処理方式は実際の状況に応じて選択されてもよく、システムにより予め設定されてもよい。
【００７５】
サブフレーム１及びサブフレーム６に対して、
ａ）  対話する両方が（ｎ＋ｋ）及び（ｎ＋５）及び（ｎ＋７）のルールを同時に使用する必要があるのを示し、この時、１個のＤＣＩ０は３個のＰＵＳＣＨのリソースを同時にスケジューリングし、
ｂ）  対話する両方が（ｎ＋ｋ）及び（ｎ＋５）のルールを同時に使用する必要があるのを示し、この時、１個のＤＣＩ０は２個のＰＵＳＣＨのリソースを同時にスケジューリングし、
ｃ）  対話する両方が（ｎ＋５）のルールを使用する必要があるのを示し、この時、１個のＤＣＩ０は１個のＰＵＳＣＨのリソースをスケジューリングする。
【００７６】
なお、上記具体的な処理方式は実際の状況に応じて選択されてもよく、システムにより予め設定されてもよい。
【００７７】
シナリオ６
前記上りリソース指示情報に基づき、採用する上りリソース選択ルールを決定することは、
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を５とするステップと、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を５及び７とするステップと、を含む。
【００７８】
構成０（ｃａｓｅ３）のｋ値（従来のＨＡＲＱタイミングテーブルを変更しない場合に適用できる）は表４に示される。
【００７９】
【表４】
2019522440.tif 000017
【００８０】
１個のＵＬ  ｇｒａｎｔは多くとも２個のＰＵＳＣＨをスケジューリングする。
【００８１】
例えば、サブフレーム０に対して、サブフレーム４をスケジューリングしてもよく、サブフレーム７をスケジューリングしてもよく、そのスケジューリングするサブフレームを決定するために、以下の規定を定義する。
【００８２】
１個のＤＣＩ０のリソースは（ｎ＋ｋ）にも使用でき、（ｎ＋７）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、対話する両方が（ｎ＋７）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、１個のＤＣＩ０は２個のＰＵＳＣＨのリソースを同時にスケジューリングする。
【００８３】
前記方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を５と決定し、再送指示が１である場合、第１号のサブフレーム又は第６号のサブフレームに対応するサブフレーム遅延を７と決定するステップと、をさらに含む。
【００８４】
ＴＤＤ上り下り構成０の場合、第２号のサブフレーム又は第４号のサブフレーム又は第７号のサブフレーム又は第９号のサブフレーム中の上りリソースにおいて上り共有チャネルの伝送を行うと決定する場合、再送指示を１に設定し、そうでない場合、再送指示を０に設定する。
【００８５】
シナリオ７
前記上りリソース指示情報に基づき、採用する上りリソース選択ルールを決定することは、
第６上り下りサブフレーム構成を採用する場合、上りリソース指示情報中の最上位ビットが１、最下位ビットが０であり、又は、第５号のサブフレームにおいて再送指示チャネルを受信し、且つ再送指示が０である場合、上りリソース選択ルールは、下りサブフレームの番号が第５号のサブフレームである場合、対応するサブフレーム遅延を１３とするステップと、
第６上り下りサブフレーム構成を採用する場合、上りリソース指示情報中の最上位ビットが０、最下位ビットが１であり、又は、第５号のサブフレームにおいて再送指示チャネルを受信し、且つ再送指示が１である場合、上りリソース選択ルールは、下りサブフレームの番号が第５号のサブフレームである場合、対応するサブフレーム遅延を１６とするステップと、
第６上り下りサブフレーム構成を採用する場合、上りリソース指示情報の最上位ビットが１、最下位ビットが１である場合、上りリソース選択ルールは、下りサブフレームの番号が第５号のサブフレームである場合、対応するサブフレーム遅延を１６及び１３とするステップと、を含む。
【００８６】
構成６のｋ値（ＨＡＲＱタイミングテーブルを再設計する場合に適用できる）は表５に示される。
【００８７】
【表５】
2019522440.tif 000018
【００８８】
表５からわかるように、第６上り下りサブフレーム構成を採用する場合、前記下りサブフレームが第０号のサブフレーム、第１号のサブフレーム、第６号のサブフレームのうちのいずれかである場合、上りサブフレームに対応するサブフレーム遅延を１６と決定する。
【００８９】
更に、サブフレーム５に対して、
１個のＤＣＩ０のリソースは（ｎ＋ｋ）にも使用でき、（ｎ＋１６）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム５においてＰＨＩＣＨを受信し、且つ対応する
【数１２】
2019522440.tif 000019
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム５においてＰＨＩＣＨを受信し、且つ対応する
【数１３】
2019522440.tif 000020
であり、対話する両方が（ｎ＋１６）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋１６）のルールを同時に使用する必要があるのを示し、この時、１個のＤＣＩ０は２個のＰＵＳＣＨのリソースを同時にスケジューリングする。
【００９０】
サブフレーム９に対して、前記上りリソース指示情報に基づき、採用する上りリソース選択ルールを決定することは、
第６上り下りサブフレーム構成を採用する場合、上りリソース指示情報中の最上位ビットが１、最下位ビットが０であり、又は、第９号のサブフレームにおいて再送指示チャネルを受信し、且つ再送指示が０である場合、上りリソース選択ルールは、下りサブフレームの番号が第９号のサブフレームである場合、対応するサブフレーム遅延を１４とするステップと、
第６上り下りサブフレーム構成を採用する場合、上りリソース指示情報中の最上位ビットが０、最下位ビットが１であり、又は、第９号のサブフレームにおいて再送指示チャネルを受信し、且つ再送指示が１である場合、上りリソース選択ルールは、下りサブフレームの番号が第９号のサブフレームである場合、対応するサブフレーム遅延を１６とするステップと、
第６上り下りサブフレーム構成を採用する場合、上りリソース指示情報の最上位ビットが１、最下位ビットが１である場合、上りリソース選択ルールは、下りサブフレームの番号が第９号のサブフレームである場合、対応するサブフレーム遅延を１６及び１４とするステップと、を含む。
【００９１】
具体的には、１個のＤＣＩ０のリソースは（ｎ＋ｋ）にも使用でき、（ｎ＋１５）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム９においてＰＨＩＣＨを受信し、且つ対応する
【数１４】
2019522440.tif 000021
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム９においてＰＨＩＣＨを受信し、且つ対応する
【数１５】
2019522440.tif 000022
であり、対話する両方が（ｎ＋１６）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋１６）のルールを同時に使用する必要があるのを示し、この時、１個のＤＣＩ０は２個のＰＵＳＣＨのリソースを同時にスケジューリングする。
【００９２】
ＴＤＤ上り下り構成６の場合、第４号のサブフレーム又は第１号のサブフレーム中の上りリソースにおいて上り共有チャネルの伝送を行うと決定する場合、再送指示を１に設定し、そうでない場合、再送指示を０に設定する。
【００９３】
シナリオ８
前記上りグラント情報を含んだ下りサブフレームの番号に基づき、対応する少なくとも１種のサブフレーム遅延を決定することは、
第６上り下りサブフレーム構成を採用する場合、下りサブフレームが第０号のサブフレーム又は第５号のサブフレームである場合、対応するサブフレーム遅延を６及び７とし、下りサブフレームが第１号のサブフレーム又は第６号のサブフレームである場合、対応するサブフレーム遅延を７とし、下りサブフレームが第９号のサブフレームである場合、対応するサブフレーム遅延を５と決定するステップを含む。
【００９４】
解決方法２は、従来のＨＡＲＱタイミングを変更せず、ＵｐＰＴＳ中で伝送されるデータのみにＨＡＲＱデザインを追加する場合、以下のスキーム６を有する。
【００９５】
従来のＨＡＲＱタイミングテーブルを変更しない構成６（ｃａｓｅ１＆ｃａｓｅ２）は表６に示される。
【００９６】
【表６】
2019522440.tif 000023
【００９７】
ＵｐＰＴＳのＰＵＳＣＨとそれに次いだ上りサブフレームのＰＵＳＣＨは同一ＵＬ  ｇｒａｎｔでスケジューリングを行い、すなわちサブフレーム６のＵＬ  ｇｒａｎｔとサブフレーム７のＵＬ  ｇｒａｎｔがバインディングされ、サブフレーム１のＵＬ  ｇｒａｎｔとサブフレーム２のＵＬ  ｇｒａｎｔがバインディングされる。
【００９８】
この時、サブフレーム９はサブフレーム４をスケジューリングし、サブフレーム０はサブフレーム６及び７をスケジューリングし、サブフレーム１はサブフレーム８をスケジューリングし、サブフレーム５はサブフレーム１及び２をスケジューリングし、サブフレーム６はサブフレーム３をスケジューリングし、すなわち、１個のＤＣＩ０は多くとも２個のＰＵＳＣＨのリソースを同時にスケジューリングする。
【００９９】
また、１個のＵＬ  ｇｒａｎｔは多くとも２個のＰＵＳＣＨをスケジューリングする場合もある。
【０１００】
前記上りリソース指示情報に基づき、採用する上りリソース選択ルールを決定することは、
第６上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは、下りサブフレームの番号が第０号のサブフレーム又は第５号のサブフレームである場合、対応するサブフレーム遅延を７とするステップと、
第６上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは、下りサブフレームの番号が第０号のサブフレーム又は第５号のサブフレームである場合、対応するサブフレーム遅延を６とするステップと、
第６上り下りサブフレーム構成を採用する場合、上りリソース指示情報の最上位ビットが１、最下位ビットが１である場合、上りリソース選択ルールは、下りサブフレームの番号が第０号のサブフレーム又は第５号のサブフレームである場合、対応するサブフレーム遅延を７及び６とするステップと、を含む。
【０１０１】
前記方法は、
第１号のサブフレーム又は第６号のサブフレームの上りリソースにおいて上り共有チャネルの伝送を行うと決定する場合、再送指示を１に設定し、そうでない場合、再送指示を０に設定するステップをさらに含む。
【０１０２】
例えば、サブフレーム０に対して、サブフレーム６をスケジューリングしてもよく、サブフレーム７をスケジューリングしてもよく、そのスケジューリングするサブフレームを決定するために、以下の規定を定義する。
【０１０３】
１個のＤＣＩ０のリソースは（ｎ＋ｋ）にも使用でき、（ｎ＋６）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム０又は５においてＰＨＩＣＨを受信し、且つ対応する
【数１６】
2019522440.tif 000024
であり、対話する両方が（ｎ＋ｋ）のルールを使用する必要があるのを示し、この時、１個のＤＣＩ０は１個のＰＵＳＣＨのリソースをスケジューリングする。
【０１０４】
最上位ビット（ＭＳＢ）＝０、最下位ビット（ＬＳＢ）＝１であり、又はサブフレーム０又は５においてＰＨＩＣＨを受信し、且つ対応する
【数１７】
2019522440.tif 000025
であり、対話する両方が（ｎ＋６）のルールを使用する必要があるのを示し、この時、１個のＤＣＩ０は１個のＰＵＳＣＨのリソースをスケジューリングする。
【０１０５】
最上位ビット（ＭＳＢ）＝１、最下位ビット（ＬＳＢ）＝１であり、対話する両方が（ｎ＋ｋ）及び（ｎ＋６）のルールを同時に使用する必要があるのを示し、この時、１個のＤＣＩ０は多くとも２個のＰＵＳＣＨのリソースを同時にスケジューリングする。
【０１０６】
ＴＤＤ上り下り構成６の場合、ＰＵＳＣＨがサブフレームｎ＝６又はｎ＝１のサブフレームにおいて伝送される時、
【数１８】
2019522440.tif 000026
であり、ＰＵＳＣＨがほかのサブフレームにおいて伝送される時、
【数１９】
2019522440.tif 000027
である。
【０１０７】
上記のシナリオの前提の下で、本実施例はさらに、ユーザー装置が上り情報を送信した後、つまりＰＵＳＣＨを送信した後、基地局側の送信する再送指示チャネルのサブフレーム位置を受信し、ここで、再送指示チャネルはＰＨＩＣＨである。ＰＵＳＣＨ伝送とＰＨＩＣＨ伝送タイミングにおいて、第ｎ個のサブフレームのＰＵＳＣＨに対応するＰＨＩＣＨのサブフレーム位置は
【数２０】
2019522440.tif 000028
であり、前記
【数２１】
2019522440.tif 000029
の値は以下の３種の処理方式を含む。
【０１０８】
処理方式１
構成１−５の
【数２２】
2019522440.tif 000030
の値について、具体的には、
前記少なくとも１つの上りリソースにおいて上り共有チャネルの伝送を行った後、前記方法は、
第１上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応するサブフレーム遅延を６と決定するステップと、
第２上り下りサブフレーム構成を採用する場合、第１号のサブフレーム又は第６号のサブフレームにおいて上り共有チャネルの伝送を行う場合、対応する再送指示チャネルを受信するサブフレーム遅延を５と決定し、第２号のサブフレーム又は第７号のサブフレームにおいて上り共有チャネルの伝送を行う場合、対応するサブフレーム遅延を６と決定するステップと、
第３上り下りサブフレーム構成を採用する場合、第１号のサブフレーム、第２号のサブフレーム、第３号のサブフレーム、第４号のサブフレームのうちのいずれか１つにおいて上り共有チャネルの伝送を行う場合、対応する再送指示チャネルを受信するサブフレーム遅延を６と決定するステップと、
第４上り下りサブフレーム構成を採用する場合、第１号のサブフレーム、第２号のサブフレーム、第３号のサブフレームのうちのいずれか１つにおいて上り共有チャネルの伝送を行う場合、対応する再送指示チャネルを受信するサブフレーム遅延を６と決定するステップと、
第５上り下りサブフレーム構成を採用する場合、第１号のサブフレーム又は第２号のサブフレームにおいて上り共有チャネルの伝送を行う場合、対応する再送指示チャネルを受信するサブフレーム遅延を６と決定するステップと、をさらに含む。
【０１０９】
表７を参照する。
【０１１０】
【表７】
2019522440.tif 000031
【０１１１】
処理方式２
前記少なくとも１つの上りリソースにおいて上り共有チャネルの伝送を行った後、前記方法は、
第０上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を７と決定し、第４号のサブフレーム又は第９号のサブフレームにおいて上り共有チャネルの伝送を行う場合、対応する再送指示チャネルを受信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレームにおいて上り共有チャネルの伝送を行う場合、対応する再送指示チャネルを受信するサブフレーム遅延を６と決定し、第４号のサブフレームにおいて上り共有チャネルの伝送を行う場合、対応する再送指示チャネルを受信するサブフレーム遅延を５と決定し、第８号のサブフレームにおいて上り共有チャネルの伝送を行う場合、対応する再送指示チャネルを受信するサブフレーム遅延を７と決定するステップと、をさらに含む。
【０１１２】
処理方式３
前記少なくとも１つの上りリソースにおいて上り共有チャネルの伝送を行った後、前記方法は、
第０上り下りサブフレーム構成を採用する場合、第１号のサブフレーム又は第６号のサブフレームのうちのいずれか１つにおいて上り共有チャネルの伝送を行う場合、対応する再送指示チャネルを受信するサブフレーム遅延を５と決定し、第２号のサブフレーム又は第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を７と決定し、第４号のサブフレーム又は第９号のサブフレームにおいて上り共有チャネルの伝送を行う場合、対応する再送指示チャネルを受信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第４号のサブフレームにおいて上り共有チャネルの伝送を行う場合、対応する再送指示チャネルを受信するサブフレーム遅延を６と決定し、第８号のサブフレームにおいて上り共有チャネルの伝送を行う場合、対応する再送指示チャネルを受信するサブフレーム遅延を７と決定するステップと、をさらに含む。
【０１１３】
構成０及び６の
【数２３】
2019522440.tif 000032
の値（ＨＡＲＱタイミングテーブルを再設計する場合に対応する）は表８に示される。
【０１１４】
【表８】
2019522440.tif 000033
【０１１５】
構成０及び６の
【数２４】
2019522440.tif 000034
の値は表９（従来のＨＡＲＱタイミングテーブルを変更しない場合に対応する）に示される。
【０１１６】
【表９】
2019522440.tif 000035
【０１１７】
以下、図３を参照して、ＵＥと基地局側が対話する上りプロセスを説明する。以下を含む。
【０１１８】
（１）ＵＥはランダムアクセスプロセスによって、ｅＮＢにＭＳＧ１を送信する。ｅＮＢはＲＡを受信すると、ＲＡＲ（Ｒａｎｄｏｍ  Ａｃｃｅｓｓ  Ｒｅｓｐｏｎｓｅ）においてＭＳＧ３が使用しようとするＵＬ  ｇｒａｎｔを設定し、後続のＵＥはＵＬ  ｇｒａｎｔに指定されるリソースにおいてＭＳＧ３を送信する。
【０１１９】
（２）ｅＮｏｄｅＢはＵＥの送信したＳＲＳを測定して上りチャネルの推定を得る。
【０１２０】
（３）上り伝送に対して、ｅＮｏｄｅＢはＵＬ  ｇｒａｎｔ（ＰＤＣＣＨ）によってＵＥに上りＰＵＳＣＨリソースを割り当てる時のみに、ＵＥは対応するリソースを使用して上り伝送を行う。ＵＥに上りＰＵＳＣＨリソースが割り当てられていないが、送信対象となる上りデータがある場合、ＵＥはＳＲ（Ｓｃｈｅｄｕｌｉｎｇ  Ｒｅｑｕｅｓｔ）を送信してｅＮｏｄｅＢに送信対象データ有りを通知し、ｅＮｏｄｅＢによる上りＰＵＳＣＨリソースの割当を要求する。
【０１２１】
（４）ｅＮｏｄｅＢがＵＥに割り当てるリソースの量を決定するように、ＵＥはｅＮｏｄｅＢに送信対象となるデータの量を通知する必要がある。ＵＥはＳＲによってｅＮｏｄｅＢに送信対象データ有りのみを通知するが、ｅＮｏｄｅＢに送信対象となるデータの量を通知していないため、ＵＥはＢＳＲ（Ｂｕｆｆｅｒ  Ｓｔａｔｕｓ  Ｒｅｐｏｒｔ）によってｅＮｏｄｅＢに送信対象となるデータの量を通知する必要がある。
【０１２２】
（５）ＵＥはｅＮｏｄｅＢと接続を確立した後、ｅＮｏｄｅＢとデータ伝送を行う可能性がある。ＵＥはｅＮｏｄｅＢに送信するデータをＰＵＳＣＨにベアラする。ｅＮｏｄｅＢはＡＣＫ／ＮＡＣＫを使用して、データ受信の正否をＵＥに通知する必要がある。この時、ＡＣＫ／ＮＡＣＫはＰＨＩＣＨによってＵＥに送信される。ｅＮｏｄｅＢによる上りデータの受信が失敗すると、ＵＥはデータを再送する必要がある。
【０１２３】
（６）無線チャネル条件は絶えず変化する可能性があり、ｅＮｏｄｅＢが下りスケジューリングする時にチャネル品質を考慮に入れるように、ＵＥはその見る下り無線チャネル条件をＣＳＩによってｅＮｏｄｅＢにフィードバックする必要がある。ＣＳＩはＰＵＣＣＨ又はＰＵＳＣＨによって伝送される。
【０１２４】
以上からわかるように、本実施例では、追加した特殊サブフレーム構成モード１０では、ＤｗＰＴＳ：ＧＰ：ＵｐＰＴＳの比は６：２：６であり、且つＵｐＰＴＳデザインはＰＵＳＣＨ伝送をサポートし、ＰＵＳＣＨとスケジューリングサブフレームのタイミング関係が設計され、以下を含む。
【０１２５】
（１）ＨＡＲＱタイミングテーブルを再設計する場合、構成０〜６に与える解決方案テーブル及び下りスケジューリングサブフレームが上りＰＵＳＣＨ伝送サブフレームより少ない時の解決方法について、上記のとおりである。
【０１２６】
（２）従来のＨＡＲＱタイミングテーブルを変更せず、１つのプロセスのみを追加する場合、与えられる構成０〜６のタイミングテーブル。
【０１２７】
ＵＬ  ｇｒａｎｔスケジューリングスキームについて、構成０は４種類を含む。
ａ）ｃａｓｅ０：ＵｐＰＴＳのＰＵＳＣＨとそれに次いだ上りサブフレームのＰＵＳＣＨはそれぞれ異なるＵＬ  ｇｒａｎｔでスケジューリングを行い、１個のＵＬ  ｇｒａｎｔは多くとも２個のＰＵＳＣＨをスケジューリングする。
ｂ）ｃａｓｅ１：ＵｐＰＴＳのＰＵＳＣＨとそれに次いだ上りサブフレームのＰＵＳＣＨは同一ＵＬ  ｇｒａｎｔでスケジューリングを行い、すなわちサブフレーム６のＵＬ  ｇｒａｎｔとサブフレーム７のＵＬ  ｇｒａｎｔがバインディングされ、サブフレーム１のＵＬ  ｇｒａｎｔとサブフレーム２のＵＬ  ｇｒａｎｔがバインディングされる。
ｃ）ｃａｓｅ２：１個のＵＬ  ｇｒａｎｔは多くとも３個のＰＵＳＣＨをスケジューリングする。
ｄ）ｃａｓｅ３：１個のＵＬ  ｇｒａｎｔは多くとも２個のＰＵＳＣＨをスケジューリングする。
【０１２８】
構成６は２種類を含む。
ａ）ｃａｓｅ１：ＵｐＰＴＳのＰＵＳＣＨとそれに次いだ上りサブフレームのＰＵＳＣＨは同一ＵＬ  ｇｒａｎｔでスケジューリングを行い、すなわちサブフレーム６のＵＬ  ｇｒａｎｔとサブフレーム７のＵＬ  ｇｒａｎｔがバインディングされ、サブフレーム１のＵＬ  ｇｒａｎｔとサブフレーム２のＵＬ  ｇｒａｎｔがバインディングされる。
ｂ）ｃａｓｅ２：１個のＵＬ  ｇｒａｎｔは多くとも２個のＰＵＳＣＨをスケジューリングする。
【０１２９】
追加した特殊サブフレーム構成モード１０では、ＤｗＰＴＳ：ＧＰ：ＵｐＰＴＳの比は６：２：６であり、且つＵｐＰＴＳデザインはＰＵＳＣＨ伝送をサポートし、ＰＵＳＣＨとフィードバックサブフレームのタイミング関係が設計され、例えば、タイミング２に与えられる構成０〜６のタイミングテーブルである。
【０１３０】
上記からわかるように、上記技術案によれば、ユーザー装置は基地局からの下り認証情報に対応する下りサブフレームを受信すると、下りサブフレームに基づき、対応する上りリソースを決定でき、特に上りリソースは特殊サブフレームの上りパイロットタイムスロットを含んでもよく、このように、より多くの上りリソースを上り信号の伝送に使用でき、また、上り信号を伝送するための上りリソースが増加するため、各々の上りリソースにベアラされた情報量をさらに減少させ、上り情報の伝送スペクトルを確保する効果を実現する。
【実施例２】
【０１３１】
実施例１の提供するユーザー装置側の処理に対応して、基地局側がＵＥのアップロードした情報を正確に受信できるように、基地局側も対応する処理を実行する必要があり、具体的には、図４に示され、
ユーザー装置に対する上りグラント情報又は再送指示情報を生成するステップ４０１と、
前記上りグラント情報又は再送指示情報を送信するための下りサブフレームの番号を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップ４０２と、
前記下りサブフレームにおいて前記ユーザー装置に前記上りグラント情報を送信し、前記少なくとも１つの上りリソースにおいて前記ユーザー装置からの上り共有チャネルの伝送を受信するステップ４０３と、を含む。
【０１３２】
ここで、前記下りサブフレームにおいて前記ユーザー装置に前記上りグラント情報を送信することは、
前記ユーザー装置用の上りリソース選択ルールを指示するための上りリソース指示情報及び前記上りグラント情報を下り制御情報に追加し、前記下りサブフレームにおいて前記ユーザー装置に前記下り制御情報を送信するステップを含む。下り制御情報はＤＣＩ  ０であってもよい。
【０１３３】
本実施例では、ＴＤＤシステムに対して、異なるＵＬ／ＤＬ構成を考慮する必要があり、ＬＴＥは７種の異なるＴＤＤ上り下り構成をサポートし、図２に示すように、図示する７種の上り下りサブフレーム構成はそれぞれ第０上り下りサブフレーム構成〜第７上り下りサブフレーム構成と呼称され、図中、Ｄは下りサブフレーム、Ｓは特殊サブフレーム、Ｕは上りサブフレームを示す。
【０１３４】
以下、７種の上り下りサブフレーム構成に基づき、それぞれメッセージ伝送を説明し、特にＵＥがどのサブフレームで上りチャネルの伝送を行うかを如何に決定することに重点をおいて説明し、前記上りチャネルはＰＵＳＣＨであってもよい。また、上記上りグラント情報はＵＬ  ｇｒａｎｔであってもよく、下り制御情報に含ませて伝送でき、ユーザー装置はＵＬ−ｇｒａｎｔを受信する時に、基地局に送信されようとするＰＵＳＣＨ伝送のタイミングを決定する。従って、具体的なシナリオは以下を含む。
【０１３５】
シナリオ１
前記方法は、
第０上り下りサブフレーム構成を採用する場合、上りリソース指示情報の最上位ビットを１、最下位ビットを０とし、又は、第０号のサブフレーム又は第５号のサブフレームにおいて再送指示チャネルを送信し、且つ再送指示が０である場合、対応する上りリソース選択ルールは下りサブフレームの番号が第０号のサブフレーム又は第５号のサブフレームである場合、対応するサブフレーム遅延を８とすることであると指示するステップと、
第０上り下りサブフレーム構成を採用する場合、上りリソース指示情報の最上位ビットを０、最下位ビットを１とし、又は、第０号のサブフレーム又は第５号のサブフレームにおいて再送指示チャネルを受信し、且つ再送指示が１である場合、対応する上りリソース選択ルールは下りサブフレームの番号が第０号のサブフレーム又は第５号のサブフレームである場合、対応するサブフレーム遅延を９とすることであると指示するステップと、
第０上り下りサブフレーム構成を採用する場合、上りリソース指示情報の最上位ビットを１、最下位ビットを１とし、対応する上りリソース選択ルールは下りサブフレームの番号が第０号のサブフレーム又は第５号のサブフレームである場合、対応するサブフレーム遅延を８及び９とすることであると指示するステップと、
第０上り下りサブフレーム構成を採用する場合、上りリソース指示情報の最上位ビットを１、最下位ビットを０とし、又は、第１号のサブフレーム又は第６号のサブフレームにおいて再送指示チャネルを受信し、且つ再送指示が０である場合、対応する上りリソース選択ルールは下りサブフレームの番号が第１号のサブフレーム又は第６号のサブフレームである場合、対応するサブフレーム遅延を１０とすることであると指示するステップと、
第０上り下りサブフレーム構成を採用する場合、上りリソース指示情報の最上位ビットを０、最下位ビットを１とし、又は、第１号のサブフレーム又は第６号のサブフレームにおいて再送指示チャネルを受信し、且つ再送指示が１である場合、対応する上りリソース選択ルールは下りサブフレームの番号が第１号のサブフレーム又は第６号のサブフレームである場合、対応するサブフレーム遅延を１１とすることであると指示するステップと、
第０上り下りサブフレーム構成を採用する場合、上りリソース指示情報の最上位ビットを１、最下位ビットを１とし、対応する上りリソース選択ルールは下りサブフレームの番号が第１号のサブフレーム又は第６号のサブフレームである場合、対応するサブフレーム遅延を１０及び１１とすることであると指示するステップと、をさらに含む。
【０１３６】
例えば、サブフレーム０に対して、サブフレーム８をスケジューリングしてもよく、サブフレーム９をスケジューリングしてもよく、そのスケジューリングするサブフレームを決定するために、以下の規定を定義する。
【０１３７】
サブフレーム０及び５に対して、
１個のＤＣＩ０のリソースは（ｎ＋ｋ）にも使用でき、（ｎ＋９）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム０又は５においてＰＨＩＣＨを受信し、且つ対応する
【数２５】
2019522440.tif 000036
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム０又は５においてＰＨＩＣＨを受信し、且つ対応する
【数２６】
2019522440.tif 000037
であり、対話する両方が（ｎ＋９）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋９）のルールを同時に使用する必要があるのを示し、この時、１個のＤＣＩ０は２個のＰＵＳＣＨのリソースを同時にスケジューリングする。
【０１３８】
サブフレーム１及び６に対して、
１個のＤＣＩ０のリソースは（ｎ＋ｋ）にも使用でき、（ｎ＋１１）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム１又は６においてＰＨＩＣＨを受信し、且つ対応する
【数２７】
2019522440.tif 000038
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム１又は６においてＰＨＩＣＨを受信し、且つ対応する
【数２８】
2019522440.tif 000039
であり、対話する両方が（ｎ＋１１）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋９）のルールを同時に使用する必要があるのを示し、この時、１個のＤＣＩ０は２個のＰＵＳＣＨのリソースを同時にスケジューリングする。
【０１３９】
シナリオ２
第０上り下りサブフレーム構成を採用する場合、上りリソース指示情報の最上位ビットを１、最下位ビットを０とし、又は、第０号のサブフレーム又は第５号のサブフレームにおいて再送指示チャネルを受信し、且つ再送指示が０である場合、対応する上りリソース選択ルールは下りサブフレームの番号が第０号のサブフレーム又は第５号のサブフレームである場合、対応するサブフレーム遅延を４とすることであると指示し、
第０上り下りサブフレーム構成を採用する場合、上りリソース指示情報の最上位ビットを０、最下位ビットを１とし、又は、第０号のサブフレーム又は第５号のサブフレームにおいて再送指示チャネルを受信し、且つ再送指示が１である場合、対応する上りリソース選択ルールは下りサブフレームの番号が第０号のサブフレーム又は第５号のサブフレームである場合、対応するサブフレーム遅延を６とすることであると指示し、
第０上り下りサブフレーム構成を採用する場合、上りリソース指示情報の最上位ビットを１、最下位ビットを１とし、対応する上りリソース選択ルールは下りサブフレームの番号が第０号のサブフレーム又は第５号のサブフレームである場合、対応するサブフレーム遅延を４及び６とすることであると指示し、
第０上り下りサブフレーム構成を採用する場合、上りリソース指示情報の最上位ビットを１、最下位ビットを０とし、又は、第１号のサブフレーム又は第６号のサブフレームにおいて再送指示チャネルを受信し、且つ再送指示が０である場合、対応する上りリソース選択ルールは下りサブフレームの番号が第１号のサブフレーム又は第６号のサブフレームである場合、対応するサブフレーム遅延を６とすることであると指示し、
第０上り下りサブフレーム構成を採用する場合、上りリソース指示情報の最上位ビットを０、最下位ビットを１とし、又は、第１号のサブフレーム又は第６号のサブフレームにおいて再送指示チャネルを受信し、且つ再送指示が１である場合、対応する上りリソース選択ルールは下りサブフレームの番号が第１号のサブフレーム又は第６号のサブフレームである場合、対応するサブフレーム遅延を７とすることであると指示し、
第０上り下りサブフレーム構成を採用する場合、上りリソース指示情報の最上位ビットを１、最下位ビットを１とし、対応する上りリソース選択ルールは下りサブフレームの番号が第１号のサブフレーム又は第６号のサブフレームである場合、対応するサブフレーム遅延を６及び７とすることであると指示する。
【０１４０】
具体的には、ＵｐＰＴＳのＰＵＳＣＨとそれに次いだ上りサブフレームのＰＵＳＣＨはそれぞれ異なるＵＬ  ｇｒａｎｔでスケジューリングを行い、１個のＵＬ  ｇｒａｎｔは多くとも２個のＰＵＳＣＨをスケジューリングする。
【０１４１】
例えば、サブフレーム０に対して、サブフレーム４をスケジューリングしてもよく、サブフレーム６をスケジューリングしてもよく、そのスケジューリングするサブフレームを決定するために、以下の規定を定義する。
【０１４２】
（１）サブフレーム０及び５に対して、
１個のＤＣＩ０のリソースは（ｎ＋ｋ）にも使用でき、（ｎ＋６）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム０又は５においてＰＨＩＣＨを受信し、且つ対応する
【数２９】
2019522440.tif 000040
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム０又は５においてＰＨＩＣＨを受信し、且つ対応する
【数３０】
2019522440.tif 000041
であり、対話する両方が（ｎ＋６）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋６）のルールを同時に使用する必要があるのを示し、この時、１個のＤＣＩ０は２個のＰＵＳＣＨのリソースを同時にスケジューリングする。
【０１４３】
サブフレーム１及び６に対して、１個のＤＣＩ０のリソースは（ｎ＋ｋ）にも使用でき、（ｎ＋７）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム１又は６においてＰＨＩＣＨを受信し、且つ対応する
【数３１】
2019522440.tif 000042
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム１又は６においてＰＨＩＣＨを受信し、且つ対応する
【数３２】
2019522440.tif 000043
であり、対話する両方が（ｎ＋７）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、１個のＤＣＩ０は２個のＰＵＳＣＨのリソースを同時にスケジューリングする。
【０１４４】
シナリオ３
第０上り下りサブフレーム構成を採用する場合、上りリソース指示情報の最上位ビットを１、最下位ビットを０とし、対応する上りリソース選択ルールは、下りサブフレームが第０号のサブフレームである場合、対応するサブフレーム遅延を４とし、下りサブフレームが第１号のサブフレームである場合、対応するサブフレーム遅延を５及び６とし、下りサブフレームが第５号のサブフレームである場合、対応するサブフレーム遅延を４とし、下りサブフレームが第６号のサブフレームである場合、対応するサブフレーム遅延を５及び６とすることであると指示し、
第０上り下りサブフレーム構成を採用する場合、上りリソース指示情報の最上位ビットを０、最下位ビットを１とし、対応する上りリソース選択ルールは、下りサブフレームが第０号のサブフレームである場合、対応するサブフレーム遅延を６及び７とし、下りサブフレームが第１号のサブフレームである場合、対応するサブフレーム遅延を７とし、下りサブフレームが第５号のサブフレームである場合、対応するサブフレーム遅延を６及び７とし、下りサブフレームが第６号のサブフレームである場合、対応するサブフレーム遅延を７とすることであると指示し、
第０上り下りサブフレーム構成を採用する場合、上りリソース指示情報の最上位ビットを１、最下位ビットを１とし、対応する上りリソース選択ルールは、下りサブフレームが第０号のサブフレームである場合、対応するサブフレーム遅延を４、６及び７とし、下りサブフレームが第１号のサブフレームである場合、対応するサブフレーム遅延を５、６及び７とし、下りサブフレームが第５号のサブフレームである場合、対応するサブフレーム遅延を４、６及び７とし、下りサブフレームが第６号のサブフレームである場合、対応するサブフレーム遅延を５、６及び７とすることであると指示する。
【０１４５】
前記方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む。
【０１４６】
１個のＤＣＩ０のリソースは（ｎ＋ｋ）にも使用でき、（ｎ＋７）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、対話する両方が（ｎ＋ｋ）のルールを使用する必要があるのを示し、この時、サブフレーム０はサブフレーム４をスケジューリングし、サブフレーム１はサブフレーム６及び７をスケジューリングし、サブフレーム５はサブフレーム９をスケジューリングし、サブフレーム６はサブフレーム１及び２をスケジューリングし、すなわち、１個のＤＣＩ０は多くとも２個のＰＵＳＣＨのリソースを同時にスケジューリングし、
最上位ビット（ＭＳＢ）＝０、最下位ビット（ＬＳＢ）＝１であり、対話する両方が（ｎ＋７）のルールを使用する必要があるのを示し、この時、サブフレーム０はサブフレーム６及び７をスケジューリングし、サブフレーム１はサブフレーム８をスケジューリングし、サブフレーム５はサブフレーム１及び２をスケジューリングし、サブフレーム６はサブフレーム３をスケジューリングし、すなわち、１個のＤＣＩ０は多くとも２個のＰＵＳＣＨのリソースを同時にスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、サブフレーム０はサブフレーム４、６及び７をスケジューリングし、サブフレーム１はサブフレーム６、７及び８をスケジューリングし、サブフレーム５はサブフレーム９、１及び２をスケジューリングし、サブフレーム６はサブフレーム１、２及び３をスケジューリングし、すなわち、１個のＤＣＩ０は３個のＰＵＳＣＨのリソースを同時にスケジューリングする。
【０１４７】
シナリオ４
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を６とし、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とし、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を６及び７とし、
第０上り下りサブフレーム構成を採用する場合、上りリソース指示情報の最上位ビットが０、最下位ビットが０である場合、上りリソース選択ルールは、下りサブフレームが第０号のサブフレーム又は第５号のサブフレームである場合、対応するサブフレーム遅延を４、６及び７とし、又は、対応するサブフレーム遅延を６及び７とし、又は対応するサブフレーム遅延を６とし、下りサブフレームが第１号のサブフレーム又は第６号のサブフレームである場合、対応するサブフレーム遅延を５、６及び７とし、又は、対応するサブフレーム遅延を６及び５とし、又は対応するサブフレーム遅延を５とする。
【０１４８】
前記方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を６と決定し、再送指示が１である場合、第１号のサブフレーム又は第６号のサブフレームに対応するサブフレーム遅延を７と決定するステップと、をさらに含む。
【０１４９】
プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、対話する両方が（ｎ＋７）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、１個のＤＣＩ０は２個のＰＵＳＣＨのリソースを同時にスケジューリングする。
【０１５０】
最上位ビット（ＭＳＢ）＝０、最下位ビット（ＬＳＢ）＝０は、
サブフレーム０とサブフレーム５に対して、
ａ）対話する両方が（ｎ＋ｋ）及び（ｎ＋６）及び（ｎ＋７）のルールを同時に使用する必要があるのを示し、この時、１個のＤＣＩ０は３個のＰＵＳＣＨのリソースを同時にスケジューリングし、
ｂ）対話する両方が（ｎ＋６）及び（ｎ＋７）のルールを同時に使用する必要があるのを示し、この時、１個のＤＣＩ０は２個のＰＵＳＣＨのリソースを同時にスケジューリングし、
ｃ）対話する両方が（ｎ＋６）のルールを使用する必要があるのを示し、この時、１個のＤＣＩ０は１個のＰＵＳＣＨのリソースをスケジューリングし、
サブフレーム１及びサブフレーム６に対して、
ａ）対話する両方が（ｎ＋ｋ）及び（ｎ＋５）及び（ｎ＋７）のルールを同時に使用する必要があるのを示し、この時、１個のＤＣＩ０は３個のＰＵＳＣＨのリソースを同時にスケジューリングし、
ｂ）対話する両方が（ｎ＋ｋ）及び（ｎ＋５）のルールを同時に使用する必要があるのを示し、この時、１個のＤＣＩ０は２個のＰＵＳＣＨのリソースを同時にスケジューリングし、
ｃ）対話する両方が（ｎ＋５）のルールを使用する必要があるのを示し、この時、１個のＤＣＩ０は１個のＰＵＳＣＨのリソースをスケジューリングする。
【０１５１】
なお、上記具体的な処理方式は実際の状況に応じて選択されてもよく、システムにより予め設定されてもよい。
【０１５２】
シナリオ５
第０上り下りサブフレーム構成を採用する場合、上りリソース指示情報の最上位ビットを１、最下位ビットを０とし、対応する上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を５とすることであると指示し、
第０上り下りサブフレーム構成を採用する場合、上りリソース指示情報中の最上位ビットを０、最下位ビットを１とすると、対応する上りリソース選択ルールは下りサブフレームが第０号のサブフレーム、第１号のサブフレーム、第５号のサブフレーム又は第６号のサブフレームである場合、対応するサブフレーム遅延を７とすることであると指示し、
第０上り下りサブフレーム構成を採用する場合、上りリソース指示情報の最上位ビットを１、最下位ビットを１とし、対応する上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を５及び７とすることであると指示する。
【０１５３】
１個のＵＬ  ｇｒａｎｔは多くとも２個のＰＵＳＣＨをスケジューリングする。
【０１５４】
例えば、サブフレーム０に対して、サブフレーム４をスケジューリングしてもよく、サブフレーム７をスケジューリングしてもよく、そのスケジューリングするサブフレームを決定するために、以下の規定を定義する。
【０１５５】
１個のＤＣＩ０のリソースは（ｎ＋ｋ）にも使用でき、（ｎ＋７）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、対話する両方が（ｎ＋７）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋７）のルールを同時に使用する必要があるのを示し、この時、１個のＤＣＩ０は２個のＰＵＳＣＨのリソースを同時にスケジューリングする。
【０１５６】
前記方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を５と決定し、再送指示が１である場合、第１号のサブフレーム又は第６号のサブフレームに対応するサブフレーム遅延を７と決定するステップと、をさらに含む。
【０１５７】
シナリオ６
第６上り下りサブフレーム構成を採用する場合、上りリソース指示情報の最上位ビットを１、最下位ビットを０とし、又は、第５号のサブフレームにおいて再送指示チャネルを受信し、且つ再送指示が０である場合、対応する上りリソース選択ルールは下りサブフレームの番号が第５号のサブフレームである場合、対応するサブフレーム遅延を１３とすることであると指示し、
第６上り下りサブフレーム構成を採用する場合、上りリソース指示情報中の最上位ビットを０、最下位ビットを１とすると、又は、第５号のサブフレームにおいて再送指示チャネルを受信し、且つ再送指示が１である場合、対応する上りリソース選択ルールは下りサブフレームの番号が第５号のサブフレームである場合、対応するサブフレーム遅延を１６とすることであると指示し、
第６上り下りサブフレーム構成を採用する場合、上りリソース指示情報の最上位ビットを１、最下位ビットを１とし、対応する上りリソース選択ルールは下りサブフレームの番号が第５号のサブフレームである場合、対応するサブフレーム遅延を１６及び１３とすることであると指示する。
【０１５８】
サブフレーム５に対して、
１個のＤＣＩ０のリソースは（ｎ＋ｋ）にも使用でき、（ｎ＋１６）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム５においてＰＨＩＣＨを受信し、且つ対応する
【数３３】
2019522440.tif 000044
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム５においてＰＨＩＣＨを受信し、且つ対応する
【数３４】
2019522440.tif 000045
であり、対話する両方が（ｎ＋１６）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋１６）のルールを同時に使用する必要があるのを示し、この時、１個のＤＣＩ０は２個のＰＵＳＣＨのリソースを同時にスケジューリングする。
【０１５９】
第６上り下りサブフレーム構成を採用する場合、上りリソース指示情報中の最上位ビットを１、最下位ビットを０とし、又は、第９号のサブフレームにおいて再送指示チャネルを受信し、且つ再送指示が０である場合、対応する上りリソース選択ルールは下りサブフレームの番号が第９号のサブフレームである場合、対応するサブフレーム遅延を１４とすることであると指示し、
第６上り下りサブフレーム構成を採用する場合、上りリソース指示情報の最上位ビットを０、最下位ビットを１とし、又は、第９号のサブフレームにおいて再送指示チャネルを受信し、且つ再送指示が１である場合、対応する上りリソース選択ルールは下りサブフレームの番号が第９号のサブフレームである場合、対応するサブフレーム遅延を１６とすることであると指示し、
第６上り下りサブフレーム構成を採用する場合、上りリソース指示情報の最上位ビットを１、最下位ビットを１とし、対応する上りリソース選択ルールは下りサブフレームの番号が第９号のサブフレームである場合、対応するサブフレーム遅延を１６及び１４とすることであると指示する。
【０１６０】
具体的には、１個のＤＣＩ０のリソースは（ｎ＋ｋ）にも使用でき、（ｎ＋１５）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム９においてＰＨＩＣＨを受信し、且つ対応する
【数３５】
2019522440.tif 000046
であり、対話する両方が（ｎ＋ｋ）のルールを使用する必要があるのを示し、この時、１個のＤＣＩ０は１個のＰＵＳＣＨのリソースをスケジューリングし、
最上位ビット（ＭＳＢ）＝０、最下位ビット（ＬＳＢ）＝１であり、又はサブフレーム９においてＰＨＩＣＨを受信し、且つ対応する
【数３６】
2019522440.tif 000047
であり、対話する両方が（ｎ＋１６）のルールを使用する必要があるのを示し、この時、１個のＤＣＩ０は１個のＰＵＳＣＨのリソースをスケジューリングし、
最上位ビット（ＭＳＢ）＝１、最下位ビット（ＬＳＢ）＝１であり、対話する両方が（ｎ＋ｋ）及び（ｎ＋１６）のルールを同時に使用する必要があるのを示し、この時、１個のＤＣＩ０は２個のＰＵＳＣＨのリソースを同時にスケジューリングする。
【０１６１】
シナリオ７
第６上り下りサブフレーム構成を採用する場合、下りサブフレームが第０号のサブフレーム又は第５号のサブフレームである場合、対応するサブフレーム遅延を６及び７とし、下りサブフレームが第１号のサブフレーム又は第６号のサブフレームである場合、対応するサブフレーム遅延を７とし、下りサブフレームが第９号のサブフレームである場合、対応するサブフレーム遅延を５と決定する。
【０１６２】
ＵｐＰＴＳのＰＵＳＣＨとそれに次いだ上りサブフレームのＰＵＳＣＨは同一ＵＬ  ｇｒａｎｔでスケジューリングを行い、すなわちサブフレーム６のＵＬ  ｇｒａｎｔとサブフレーム７のＵＬ  ｇｒａｎｔがバインディングされ、サブフレーム１のＵＬ  ｇｒａｎｔとサブフレーム２のＵＬ  ｇｒａｎｔがバインディングされる。
【０１６３】
この時、サブフレーム９はサブフレーム４をスケジューリングし、サブフレーム０はサブフレーム６及び７をスケジューリングし、サブフレーム１はサブフレーム８をスケジューリングし、サブフレーム５はサブフレーム１及び２をスケジューリングし、サブフレーム６はサブフレーム３をスケジューリングし、すなわち、１個のＤＣＩ０は多くとも２個のＰＵＳＣＨのリソースを同時にスケジューリングする。
【０１６４】
シナリオ８
第６上り下りサブフレーム構成を採用する場合、上りリソース指示情報の最上位ビットを１、最下位ビットを０とし、又は、第０号のサブフレーム又は第５号のサブフレームにおいて再送指示チャネルを受信し、且つ再送指示が０である場合、対応する上りリソース選択ルールは下りサブフレームの番号が第０号のサブフレーム又は第５号のサブフレームである場合、対応するサブフレーム遅延を７とすることであると指示し、
第６上り下りサブフレーム構成を採用する場合、上りリソース指示情報の最上位ビットを０、最下位ビットを１とし、又は、第０号のサブフレーム又は第５号のサブフレームにおいて再送指示チャネルを受信し、且つ再送指示が１である場合、対応する上りリソース選択ルールは下りサブフレームの番号が第０号のサブフレーム又は第５号のサブフレームである場合、対応するサブフレーム遅延を６とすることであると指示し、
第６上り下りサブフレーム構成を採用する場合、上りリソース指示情報の最上位ビットを１、最下位ビットを１とし、対応する上りリソース選択ルールは下りサブフレームの番号が第０号のサブフレーム又は第５号のサブフレームである場合、対応するサブフレーム遅延を６及び７とすることであると指示する。
【０１６５】
１個のＵＬ  ｇｒａｎｔは多くとも２個のＰＵＳＣＨをスケジューリングする。
【０１６６】
例えば、サブフレーム０に対して、サブフレーム６をスケジューリングしてもよく、サブフレーム７をスケジューリングしてもよく、そのスケジューリングするサブフレームを決定するために、以下の規定を定義する。
【０１６７】
１個のＤＣＩ０のリソースは（ｎ＋ｋ）にも使用でき、（ｎ＋６）にも使用できる。プロトコルはＤＣＩ０にＵＬ＿ＩＮＤＥＸと呼ばれるフィールドを導入する。ＵＬ＿ＩＮＤＥＸフィールドは２個のｂｉｔｓのみを有し、具体的な意味について、
最上位ビット（ＭＳＢ）＝１、最下位ビット（ＬＳＢ）＝０であり、又はサブフレーム０又は５においてＰＨＩＣＨを受信し、且つ対応する
【数３７】
2019522440.tif 000048
であり、対話する両方が（ｎ＋ｋ）のルールを使用する必要があるのを示し、この時、１個のＤＣＩ０は１個のＰＵＳＣＨのリソースをスケジューリングする。
【０１６８】
最上位ビット（ＭＳＢ）＝０、最下位ビット（ＬＳＢ）＝１であり、又はサブフレーム０又は５においてＰＨＩＣＨを受信し、且つ対応する
【数３８】
2019522440.tif 000049
であり、対話する両方が（ｎ＋６）のルールを使用する必要があるのを示し、この時、１個のＤＣＩ０は１個のＰＵＳＣＨのリソースをスケジューリングする。
【０１６９】
最上位ビット（ＭＳＢ）＝１、最下位ビット（ＬＳＢ）＝１であり、対話する両方が（ｎ＋ｋ）及び（ｎ＋６）のルールを同時に使用する必要があるのを示し、この時、１個のＤＣＩ０は多くとも２個のＰＵＳＣＨのリソースを同時にスケジューリングする。
【０１７０】
シナリオ９
第１上り下りサブフレーム構成を採用する場合、下りサブフレームが第０号のサブフレーム、第１号のサブフレーム、第５号のサブフレーム、第６号のサブフレームのうちのいずれかである場合、対応するサブフレーム遅延を６と決定し、下りサブフレームが第４号のサブフレーム又は第９号のサブフレームである場合、対応するサブフレーム遅延を４と決定し、
第２上り下りサブフレーム構成を採用する場合、下りサブフレームが第１号のサブフレーム又は第９号のサブフレームである場合、対応するサブフレーム遅延を５と決定し、下りサブフレームが第３号のサブフレーム又は第８号のサブフレームである場合、対応するサブフレーム遅延を４と決定し、
第３上り下りサブフレーム構成を採用する場合、下りサブフレームが第０号のサブフレーム、第７号のサブフレーム、第８号のサブフレーム、第９号のサブフレームのうちのいずれかである場合、対応するサブフレーム遅延を４と決定し、
第４上り下りサブフレーム構成を採用する場合、下りサブフレームが第７号のサブフレーム、第８号のサブフレーム、第９号のサブフレームのうちのいずれかである場合、対応するサブフレーム遅延を４と決定し、
第５上り下りサブフレーム構成を採用する場合、下りサブフレームが第７号のサブフレーム又は第８号のサブフレームである場合、対応するサブフレーム遅延を４と決定する。
【実施例３】
【０１７１】
本実施例はユーザー装置を提供し、図５に示すように、
基地局側から送信された上りグラント情報又は再送指示情報を受信するように構成される受信ユニット５１と、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される処理ユニット５２と、
前記少なくとも１つの上りリソースにおいて上り共有チャネルの伝送を行うように構成される送信ユニット５３と、を備える。
【０１７２】
本実施例に係るユーザー装置の実行する機能は実施例１に記載の通りであり、例えば、受信ユニットは具体的には下り制御情報を解析し、前記下り制御情報から、前記ユーザー装置用の上りリソース選択ルールを指示するための上りリソース指示情報及び前記上りグラント情報を抽出して取得する。
【０１７３】
処理ユニットは、具体的には、上りリソース選択ルールの決定を行い、実施例１に係る複数種のシナリオを含み、ここで重複説明を省略する。また、処理ユニットはさらに、基地局からのＰＨＩＣＨを受信する受信サブフレーム位置を決定し、処理方式は実施例１と同様であるため、ここで重複説明を省略する。
【実施例４】
【０１７４】
本実施例は基地局を提供し、図６に示すように、
ユーザー装置に対する上りグラント情報又は再送指示情報を生成するように構成される情報生成ユニット６１と、
前記上りグラント情報又は再送指示情報を送信するための下りサブフレームの番号を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される管理ユニット６２と、
前記下りサブフレームにおいて前記ユーザー装置に前記上りグラント情報を送信し、前記少なくとも１つの上りリソースにおいて前記ユーザー装置からの上り共有チャネルの伝送を受信するように構成される通信ユニット６３と、を備える。
【０１７５】
本実施例では、上記管理ユニットは主に、実施例２に係る複数種のシナリオを実行し、ここで重複説明を省略する。
【０１７６】
本開示の実施例に係るユーザー装置は、１つ又は複数の（図中、１つのみを示す）プロセッサ、メモリ、及び伝送装置（例えば、上記実施例の送信装置）を備え、ユーザー装置はさらに入出力装置を備える。
【０１７７】
メモリは、ソフトウェアプログラム及びモジュール、例えば本開示の実施例に係るメディアファイルの処理方法及び装置に対応するプログラム命令／モジュールを記憶でき、プロセッサはメモリ内に記憶されたソフトウェアプログラム及びモジュールを実行することで、各種の機能アプリケーション及びデータ処理を実行し、すなわち上記メディアファイルの処理方法を実現する。
【０１７８】
メモリは高速ランダムアクセスメモリを含んでもよく、不揮発性メモリ、例えば１つ又は複数の磁気記憶装置、フラッシュメモリ、又はほかの不揮発性ソリッドステートメモリをさらに含んでもよい。いくつかの例では、メモリはさらにプロセッサに対して遠隔設置されたメモリを含んでもよく、これらの遠隔メモリはネットワークを介して端末に接続できる。上記ネットワークの例はインターネット、イントラネット、ローカルエリアネットワーク、移動体通信網及びそれらの組合せを含むが、それらに限定されない。
【０１７９】
上記伝送装置は１つのネットワークを経由してデータを送受信し、さらにプロセッサとメモリの間でデータ伝送行う。上記ネットワークの具体例は有線ネットワーク及びワイヤレスネットワークを含んでもよい。一例では、伝送装置は１つのネットワーク・インターフェース・コントローラ（Ｎｅｔｗｏｒｋ  Ｉｎｔｅｒｆａｃｅ  Ｃｏｎｔｒｏｌｌｅｒ、ＮＩＣ）を含み、ケーブルによってほかのネットワーク装置及びルータに接続され、それによりインターネット又はローカルエリアネットワークと通信できる。一例では、伝送装置２５０５は無線周波数（Ｒａｄｉｏ  Ｆｒｅｑｕｅｎｃｙ、ＲＦ）モジュールであり、無線方式でインターネットと通信する。
【０１８０】
具体的には、メモリはアプリケーションプログラムを記憶する。
プロセッサは伝送装置によって、メモリに記憶されたアプリケーションプログラムを呼び出し、それにより、
基地局側から送信された上りグラント情報又は再送指示情報を受信するステップと、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記少なくとも１つの上りリソースにおいて上り共有チャネルの伝送を行うステップと、を実行する。
【０１８１】
なお、ユーザー装置のプロセッサはさらに上記実施例１に係る方法のプロセスを実行できる。
【０１８２】
また、基地局は１つ又は複数の（図中、１つのみを示す）プロセッサ、メモリ、及び伝送装置（例えば、上記実施例の送信装置）、入出力装置をさらに備えてもよい。
【０１８３】
具体的には、メモリはアプリケーションプログラムを記憶する。
【０１８４】
プロセッサは伝送装置によって、メモリに記憶されたアプリケーションプログラムを呼び出し、それにより、
ユーザー装置に対する上りグラント情報を生成するステップと、
前記上りグラント情報を送信するための下りサブフレームの番号又は再送指示情報を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信するステップと、を実行する。
【０１８５】
なお、ユーザー装置のプロセッサはさらに上記実施例２に係る方法のプロセスを実行できる。
【０１８６】
本開示の実施例は記憶媒体をさらに提供し、該記憶媒体は１組の命令を含み、前記命令を実行する時、少なくとも１つのプロセッサは、
ユーザー装置に対する上りグラント情報を生成する操作と、
前記上りグラント情報を送信するための下りサブフレームの番号又は再送指示情報を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定する操作と、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信する操作と、を実行する。
【０１８７】
又は、基地局側から送信された上りグラント情報又は再送指示情報を受信する処理と、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定する処理と、
前記少なくとも１つの上りリソースにおいて上り共有チャネルの伝送を行う処理と、を実行する。
【０１８８】
なお、本明細書では、用語「含む」、「備える」又はほかの変形は非排他的な包括をカバーするものであり、それにより一連の要素を含むプロセス、方法、物品又は装置はこれらの要素を含むだけでなく、明確にリストされていないほかの要素をさらに含み、又はこのプロセス、方法、物品又は装置に固有の要素をさらに含む。より多くの制限がない限り、「１つの…を含む」により限定される要素にといて、該要素を含むプロセス、方法、物品又は装置がさらに別の同一要素を有することを除外しない。
【０１８９】
上記本開示の実施例の番号は説明のためのものであり、実施例の優劣を示すものではない。
【０１９０】
以上の実施形態についての説明から明らかなように、当業者は上記実施例の方法をソフトウェアと必要な汎用ハードウェアプラットフォームとの組合せによって実現してもよく、ハードウェアによって実現してもよいが、多くの場合、前者は好ましい実施形態である。このような理解に基づき、本願の技術案は本質的に又は従来技術に貢献する部分はソフトウェア製品の形態で具現化でき、該コンピュータソフトウェア製品は記憶媒体（例えば、ＲＯＭ／ＲＡＭ、磁気ディスク、光ディスク）に記憶され、１台の端末装置（携帯電話、コンピュータ、サーバ、空調機、又はネットワーク装置等であってもよい）に本願の各実施例に係る方法を実行させるための複数の命令を含む。
【０１９１】
以上、本願の好適実施例を説明したが、本願の特許範囲を制限するものではなく、本願の明細書及び図面に基づき作られる同等構造又は同等プロセスの変形、又はほかの関連技術分野での直接又は間接応用はすべて本願特許の保護範囲に属する。
【図１】
2019522440.tif 000050
【図２ａ】
2019522440.tif 000051
【図２ｂ】
2019522440.tif 000052
【図３】
2019522440.tif 000053
【図４】
2019522440.tif 000054
【図５】
2019522440.tif 000055
【図６】
2019522440.tif 000056
【手続補正書】
【提出日】平成31年1月25日(2019.1.25)
【手続補正１】
【補正対象書類名】特許請求の範囲
【補正対象項目名】全文
【補正方法】変更
【補正の内容】
【特許請求の範囲】
【請求項１】
ユーザー装置に適用されるメッセージ伝送方法であって、
基地局側から送信された上りグラント情報又は再送指示情報を受信するステップと、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記少なくとも１つの上りリソースにおいて上り共有チャネルの伝送を行うステップと、を含むメッセージ伝送方法。
【請求項２】
前記特殊サブフレームは少なくとも上りパイロットタイムスロット及び下りパイロットタイムスロットを含み、前記下りパイロットタイムスロットは１３１６８個の時間領域サンプリングポイントを含み、前記上りパイロットタイムスロットがノーマルサイクリックプレフィックスを採用する時に１３１５２個の時間領域サンプリングポイントを含み、又は上りパイロットタイムスロットが拡張サイクリックプレフィックスを採用する時に１２８００個の時間領域サンプリングポイントを含む場合、前記２つの時間領域サンプリングポイント間の時間間隔が１／（１５０００＊２０４８）秒である請求項１に記載のメッセージ伝送方法。
【請求項３】
前記少なくとも１種のサブフレーム遅延に基づき少なくとも１つの上りリソースを決定することは、
決定した上りリソースが特殊サブフレームの上りパイロットタイムスロットである場合、上りパイロットタイムスロットに割り当てられる物理リソースブロック数を計算し、且つ前記物理リソースブロック数に対応する等価物理リソースブロック数を計算し、前記等価物理リソースブロック数は物理リソースブロック数と所定の係数との積であるステップと、
変調符号化インデックスに基づきデータブロックサイズインデックスを検索し、等価物理リソースブロック数とデータブロックサイズインデックスに基づき、上りデータブロックの数値を計算するステップと、をさらに含む請求項１に記載のメッセージ伝送方法。
【請求項４】
前記上りグラント情報又は再送指示情報を含んだ下りサブフレームの番号に基づき、対応する少なくとも１種のサブフレーム遅延を決定することは、
第１上り下りサブフレーム構成を採用する場合、下りサブフレームが第０号のサブフレーム、第１号のサブフレーム、第５号のサブフレーム、第６号のサブフレームのうちのいずれか１つである場合、対応するサブフレーム遅延を６と決定し、下りサブフレームが第４号のサブフレーム又は第９号のサブフレームである場合、対応するサブフレーム遅延を４と決定するステップと、
第２上り下りサブフレーム構成を採用する場合、下りサブフレームが第１号のサブフレーム又は第６号のサブフレームである場合、対応するサブフレーム遅延を５と決定し、下りサブフレームが第３号のサブフレーム又は第８号のサブフレームである場合、対応するサブフレーム遅延を４と決定するステップと、
第３上り下りサブフレーム構成を採用する場合、下りサブフレームが第０号のサブフレーム、第７号のサブフレーム、第８号のサブフレーム、第９号のサブフレームのうちのいずれか１つである場合、対応するサブフレーム遅延を４と決定するステップと、
第４上り下りサブフレーム構成を採用する場合、下りサブフレームが第７号のサブフレーム、第８号のサブフレーム、第９号のサブフレームのうちのいずれか１つである場合、対応するサブフレーム遅延を４と決定するステップと、
第５上り下りサブフレーム構成を採用する場合、下りサブフレームが第７号のサブフレーム又は第８号のサブフレームである場合、対応するサブフレーム遅延を４と決定するステップと、を含む請求項１に記載のメッセージ伝送方法。
【請求項５】
前記基地局側から送信された上りグラント情報を受信することは、
下り制御情報を解析し、前記下り制御情報から、前記ユーザー装置用の上りリソース選択ルールを指示するための上りリソース指示情報及び前記上りグラント情報を抽出して取得するステップを含む請求項１に記載のメッセージ伝送方法。
【請求項６】
前記上りグラント情報を含んだ下りサブフレームの番号に基づき、対応する少なくとも１種のサブフレーム遅延を決定し、前記少なくとも１種のサブフレーム遅延に基づき少なくとも１つの上りリソースを決定することは、
前記上りリソース指示情報に基づき、採用する上りリソース選択ルールを決定し、前記上りリソース選択ルールは少なくとも上りリソース指示情報に対応するサブフレーム、及び各々のサブフレームに対応する少なくとも１種のサブフレーム遅延を含むステップと、
前記上りグラント情報を含んだ下りサブフレームの番号、及び前記上りリソース選択ルール中の対応する少なくとも１種のサブフレーム遅延に基づき、少なくとも１つの上りリソースを決定するステップと、を含む請求項５に記載のメッセージ伝送方法。
【請求項７】
前記上りリソース指示情報に基づき、採用する上りリソース選択ルールを決定することは、
第０上り下りサブフレーム構成を採用する場合、上りリソース指示情報中の最上位ビットが１、最下位ビットが０である場合、上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を５とするステップと、
第０上り下りサブフレーム構成を採用する場合、上りリソース指示情報中の最上位ビットが０、最下位ビットが１である場合、上りリソース選択ルールは、下りサブフレームが第０号のサブフレーム、第１号のサブフレーム、第５号のサブフレーム又は第６号のサブフレームである場合、対応するサブフレーム遅延を７とするステップと、
第０上り下りサブフレーム構成を採用する場合、上りリソース指示情報の最上位ビットが１、最下位ビットが１である場合、上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を５及び７とするステップと、を含み、
または、前記メッセージ伝送方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を５と決定し、再送指示が１である場合、第１号のサブフレーム又は第６号のサブフレームに対応するサブフレーム遅延を７と決定するステップと、をさらに含み、
または、前記メッセージ伝送方法は、
第２号のサブフレーム又は第４号のサブフレーム又は第７号のサブフレーム又は第９号のサブフレーム中の上りリソースにおいて上り共有チャネルの伝送を行うと決定する場合、再送指示を１に設定し、そうでない場合、再送指示を０に設定するステップをさらに含み、
または、前記上りリソース指示情報に基づき、採用する上りリソース選択ルールを決定することは、
第６上り下りサブフレーム構成を採用する場合、上りリソース指示情報中の最上位ビットが１、最下位ビットが０であり、又は、第０号のサブフレーム又は第５号のサブフレームにおいて再送指示チャネルを受信し、且つ再送指示が０である場合、上りリソース選択ルールは、下りサブフレームの番号が第０号のサブフレーム又は第５号のサブフレームである場合、対応するサブフレーム遅延を７とするステップと、
第６上り下りサブフレーム構成を採用する場合、上りリソース指示情報中の最上位ビットが０、最下位ビットが１であり、又は、第０号のサブフレーム又は第５号のサブフレームにおいて再送指示チャネルを受信し、且つ再送指示が１である場合、上りリソース選択ルールは、下りサブフレームの番号が第０号のサブフレーム又は第５号のサブフレームである場合、対応するサブフレーム遅延を６とするステップと、
第６上り下りサブフレーム構成を採用する場合、上りリソース指示情報の最上位ビットが１、最下位ビットが１である場合、上りリソース選択ルールは、下りサブフレームの番号が第０号のサブフレーム又は第５号のサブフレームである場合、対応するサブフレーム遅延を７及び６とするステップと、を含み、
または、前記メッセージ伝送方法は、
第１号のサブフレーム又は第６号のサブフレームの上りリソースにおいて上り共有チャネルの伝送を行うと決定する場合、再送指示を１に設定し、そうでない場合、再送指示を０に設定するステップをさらに含む請求項６に記載のメッセージ伝送方法。
【請求項８】
前記少なくとも１つの上りリソースにおいて上り共有チャネルの伝送を行った後、
第０上り下りサブフレーム構成を採用する場合、第１号のサブフレーム又は第６号のサブフレームのうちのいずれか１つにおいて上り共有チャネルの伝送を行う場合、対応する再送指示チャネルを受信するサブフレーム遅延を５と決定し、第２号のサブフレーム又は第７号のサブフレームのうちのいずれか１つにおいて上り共有チャネルの伝送を行う場合、対応する再送指示チャネルを受信するサブフレーム遅延を４と決定し、第３号のサブフレーム又は第８号のサブフレームにおいて上り共有チャネルの伝送を行う場合、対応する再送指示チャネルを受信するサブフレーム遅延を７と決定し、第４号のサブフレーム又は第９号のサブフレームにおいて上り共有チャネルの伝送を行う場合、対応する再送指示チャネルを受信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを受信するサブフレーム遅延を４と決定し、第３号のサブフレーム又は第４号のサブフレームにおいて上り共有チャネルの伝送を行う場合、対応する再送指示チャネルを受信するサブフレーム遅延を６と決定し、第８号のサブフレームにおいて上り共有チャネルの伝送を行う場合、対応する再送指示チャネルを受信するサブフレーム遅延を７と決定するステップと、をさらに含む請求項１に記載のメッセージ伝送方法。
【請求項９】
基地局に適用されるメッセージ伝送方法であって、
ユーザー装置に対する上りグラント情報を生成するステップと、
前記上りグラント情報を送信するための下りサブフレームの番号又は再送指示情報を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するステップと、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信するステップと、を含むメッセージ伝送方法。
【請求項１０】
前記下りサブフレームにおいて前記ユーザー装置に前記上りグラント情報を送信することは、
前記ユーザー装置用の上りリソース選択ルールを指示するための上りリソース指示情報及び前記上りグラント情報を下り制御情報に追加し、前記下りサブフレームにおいて前記ユーザー装置に前記下り制御情報を送信するステップを含む請求項９に記載のメッセージ伝送方法。
【請求項１１】
第０上り下りサブフレーム構成を採用する場合、上りリソース指示情報の最上位ビットを１、最下位ビットを０とし、対応する上りリソース選択ルールは、下りサブフレームが第０号のサブフレーム又は第５号のサブフレームである場合、対応するサブフレーム遅延を４とし、下りサブフレームが第１号のサブフレーム又は第６号のサブフレームである場合、対応するサブフレーム遅延を５とすると指示するステップと、
第０上り下りサブフレーム構成を採用する場合、上りリソース指示情報中の最上位ビットを０、最下位ビットを１とすると、対応する上りリソース選択ルールは下りサブフレームが第０号のサブフレーム、第１号のサブフレーム、第５号のサブフレーム又は第６号のサブフレームである場合、対応するサブフレーム遅延を７とすると指示するステップと、
第０上り下りサブフレーム構成を採用する場合、上りリソース指示情報の最上位ビットを１、最下位ビットを１とし、対応する上りリソース選択ルールは、下りサブフレームが第０号のサブフレーム又は第５号のサブフレームである場合、対応するサブフレーム遅延を４及び７とし、下りサブフレームが第１号のサブフレーム又は第６号のサブフレームである場合、対応するサブフレーム遅延を５及び７とすると指示するステップと、をさらに含み、
または、前記メッセージ伝送方法は、
第０上り下りサブフレーム構成を採用し、且つ第０号のサブフレーム又は第５号のサブフレームにおいて再送指示チャネルを受信する場合、再送指示が０である場合、第０号のサブフレーム又は第５号のサブフレームに対応するサブフレーム遅延を４と決定し、再送指示が１である場合、第０号のサブフレーム又は第５号のサブフレームに対応するサブフレーム遅延を７と決定するステップと、
第０上り下りサブフレーム構成を採用し、且つ第１号のサブフレーム又は第６号のサブフレームにおいて再送指示チャネルを受信する場合、再送指示が０である場合、第１号のサブフレーム又は第６号のサブフレームに対応するサブフレーム遅延を５と決定し、再送指示が１である場合、第１号のサブフレーム又は第６号のサブフレームに対応するサブフレーム遅延を７と決定するステップと、をさらに含み、
または、前記メッセージ伝送方法は、
第６上り下りサブフレーム構成を採用する場合、上りリソース指示情報の最上位ビットを１、最下位ビットを０とし、又は、第０号のサブフレーム又は第５号のサブフレームにおいて再送指示チャネルを受信し、且つ再送指示が０である場合、対応する上りリソース選択ルールは下りサブフレームの番号が第０号のサブフレーム又は第５号のサブフレームである場合、対応するサブフレーム遅延を７とすると指示するステップと、
第６上り下りサブフレーム構成を採用する場合、上りリソース指示情報の最上位ビットを０、最下位ビットを１とし、又は、第０号のサブフレーム又は第５号のサブフレームにおいて再送指示チャネルを受信し、且つ再送指示が１である場合、対応する上りリソース選択ルールは下りサブフレームの番号が第０号のサブフレーム又は第５号のサブフレームである場合、対応するサブフレーム遅延を６とすると指示するステップと、
第６上り下りサブフレーム構成を採用する場合、上りリソース指示情報の最上位ビットを１、最下位ビットを１とし、対応する上りリソース選択ルールは下りサブフレームの番号が第０号のサブフレーム又は第５号のサブフレームである場合、対応するサブフレーム遅延を６及び７とすると指示するステップと、をさらに含む請求項１０に記載のメッセージ伝送方法。
【請求項１２】
第１上り下りサブフレーム構成を採用する場合、下りサブフレームが第０号のサブフレーム、第１号のサブフレーム、第５号のサブフレーム、第６号のサブフレームのうちのいずれかである場合、対応するサブフレーム遅延を６と決定し、下りサブフレームが第４号のサブフレーム又は第９号のサブフレームである場合、対応するサブフレーム遅延を４と決定するステップと、
第２上り下りサブフレーム構成を採用する場合、下りサブフレームが第１号のサブフレーム又は第６号のサブフレームである場合、対応するサブフレーム遅延を５と決定し、下りサブフレームが第３号のサブフレーム又は第８号のサブフレームである場合、対応するサブフレーム遅延を４と決定するステップと、
第３上り下りサブフレーム構成を採用する場合、下りサブフレームが第０号のサブフレーム、第７号のサブフレーム、第８号のサブフレーム、第９号のサブフレームのうちのいずれかである場合、対応するサブフレーム遅延を４と決定するステップと、
第４上り下りサブフレーム構成を採用する場合、下りサブフレームが第７号のサブフレーム、第８号のサブフレーム、第９号のサブフレームのうちのいずれかである場合、対応するサブフレーム遅延を４と決定するステップと、
第５上り下りサブフレーム構成を採用する場合、下りサブフレームが第７号のサブフレーム又は第８号のサブフレームである場合、対応するサブフレーム遅延を４と決定するステップと、をさらに含む請求項１０に記載のメッセージ伝送方法。
【請求項１３】
前記下りサブフレームにおいて前記ユーザー装置に再送指示情報を送信した後、
第０上り下りサブフレーム構成を採用する場合、第１号のサブフレーム又は第６号のサブフレームのうちのいずれか１つにおいて上り共有チャネルの伝送を行う場合、対応する再送指示チャネルを受信するサブフレーム遅延を５と決定し、第２号のサブフレーム又は第７号のサブフレームのうちのいずれか１つにおいて上り共有チャネルの伝送を行う場合、対応する再送指示チャネルを送信するサブフレーム遅延を４と決定し、第３号のサブフレーム又は第８号のサブフレームにおいて上り共有チャネルの伝送を行う場合、対応する再送指示チャネルを送信するサブフレーム遅延を７と決定し、第４号のサブフレーム又は第９号のサブフレームにおいて上り共有チャネルの伝送を行う場合、対応する再送指示チャネルを送信するサブフレーム遅延を６と決定するステップと、
第６上り下りサブフレーム構成を採用する場合、第１号のサブフレーム、第２号のサブフレーム、第６号のサブフレーム、第７号のサブフレームのうちのいずれか１つにおいて上り共有チャネルの伝送を行う場合、対応する再送指示チャネルを送信するサブフレーム遅延を４と決定し、第３号のサブフレーム又は第４号のサブフレームにおいて上り共有チャネルの伝送を行う場合、対応する再送指示チャネルを送信するサブフレーム遅延を６と決定し、第８号のサブフレームにおいて上り共有チャネルの伝送を行う場合、対応する再送指示チャネルを送信するサブフレーム遅延を７と決定するステップと、をさらに含む請求項９に記載のメッセージ伝送方法。
【請求項１４】
基地局側から送信された上りグラント情報又は再送指示情報を受信するように構成される受信ユニットと、
前記上りグラント情報又は再送指示情報を含んだ下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される処理ユニットと、
前記少なくとも１つの上りリソースにおいて上り共有チャネルの伝送を行うように構成される送信ユニットと、を備えるユーザー装置。
【請求項１５】
基地局であって、
ユーザー装置に対する上りグラント情報又は再送指示情報を生成するように構成される情報生成ユニットと、
前記上りグラント情報を送信するための下りサブフレームの番号を決定し、前記下りサブフレームの番号に基づき、対応する少なくとも１種のサブフレーム遅延を決定し、前記少なくとも１種のサブフレーム遅延に基づき、上りサブフレーム及び／又は特殊サブフレーム中の上りパイロットタイムスロットである少なくとも１つの上りリソースを決定するように構成される管理ユニットと、
前記下りサブフレームにおいて前記ユーザー装置に前記上りグラント情報又は再送指示情報を送信し、前記少なくとも１つの上りリソースにおいて前記ユーザー装置からの上り共有チャネルの伝送を受信するように構成される通信ユニットと、を備える基地局。
【国際調査報告】
2019522440.tif 000057
2019522440.tif 000058
2019522440.tif 000059
2019522440.tif 000060